(57)【要約】【課題】ユーザにより適切な情報を発信する。【解決手段】ユーザに情報を表示するモニタ（１６１）と、画像提供サイトにおけるユーザの識別情報を取得し管理サーバ（４）に送信することにより管理サーバ（４）に会員認証を行わせる認証制御部（３１６）と、会員認証が成功した場合、識別情報に関連付けられているユーザの特性に対応する広告を上記表示部に表示させる事後接客用モニタ制御部（３１５Ｃ）と、を備える。【選択図】図１１
2015180017.tif 000002
【特許請求の範囲】
【請求項１】
ユーザを被写体とする撮影で得られた撮影画像または該撮影画像を編集した編集画像である画像データを、画像データを管理する画像管理サービスを提供するサーバに送信する写真撮影編集装置であって、
上記ユーザに情報を表示する表示部と、
上記画像管理サービスにおける上記ユーザの識別情報を取得する識別情報取得手段と、
上記識別情報取得手段が取得した上記ユーザの識別情報を上記サーバに送信することにより、上記サーバに、上記画像管理サービスにおける上記ユーザの情報を利用するための会員認証を行わせる認証要求手段と、
上記認証要求手段が要求した上記会員認証が成功した場合、上記識別情報に関連付けられている上記ユーザの特性に対応する広告を上記表示部に表示させる表示制御手段と、を備えることを特徴とする写真撮影編集装置。
【請求項２】
上記識別情報取得手段は、複数の上記ユーザから上記識別情報を取得し、
上記表示制御手段は、複数の上記ユーザそれぞれの特性に対応する広告を上記表示部に表示させることを特徴とする、請求項１に記載の写真撮影編集装置。
【請求項３】
上記識別情報取得手段が取得した上記ユーザの上記識別情報の数に応じて上記広告の表示位置を決定する表示位置決定手段を備え、
上記表示制御手段は、上記表示位置決定手段が決定した上記表示位置に、上記広告を表示することを特徴とする、請求項１または２に記載の写真撮影編集装置。
【請求項４】
上記ユーザが所持する端末と近接通信を行う複数の通信部と、
上記通信部の、上記写真撮影編集装置における位置を示す認証位置を取得する認証位置取得手段と、を備え、
上記識別情報取得手段は、上記通信部を介して上記端末から上記識別情報を取得し、
上記表示位置決定手段は、上記認証位置取得手段が取得した上記認証位置に応じて、上記表示部における上記広告の表示位置を決定することを特徴とする、請求項３に記載の写真撮影編集装置。
【請求項５】
請求項１から４のいずれか１項に記載の写真撮影編集装置と通信を行うサーバであって、
上記識別情報と、上記ユーザの特性とを対応づけた情報であるユーザ情報を記憶する記憶部と、
上記写真撮影編集装置から受信した上記識別情報が、上記記憶部に記憶されている上記識別情報と一致するか否かを判定することにより会員認証を行い、上記会員認証の結果を上記写真撮影編集装置へ送信する認証手段と、
上記会員認証が成功した場合、上記ユーザ情報を参照することにより、上記写真撮影編集装置から受信した上記識別情報に対応する上記ユーザの特性を特定するユーザ特性特定手段と、
上記ユーザ特性特定手段が特定した上記ユーザの特性に応じて、上記写真撮影編集装置に配信する上記広告を決定する広告決定手段と、を備えることを特徴とするサーバ。
【請求項６】
写真撮影編集装置においてユーザにより作成された画像データを受信し管理する画像管理サービスを提供するサーバであって、
上記画像データに施された加工処理を特定することにより、上記ユーザが上記画像データの作成において利用した、上記写真撮影編集装置の機能を利用機能として特定する利用機能特定手段と、
上記利用機能特定手段が特定した上記ユーザの上記利用機能に応じた広告を含むメールを、上記ユーザ宛てに送信するメール作成手段と、を備えることを特徴とするサーバ。
【請求項７】
ユーザを被写体とする撮影で得られた撮影画像または該撮影画像を編集した編集画像である画像データを、上記ユーザの指示により作成する写真撮影編集装置であって、
上記ユーザに情報を表示する表示部と、
上記画像データを管理する画像管理サービスを提供するサーバに上記画像データを送信することにより、上記画像データに施された加工処理から、上記画像データの作成において上記ユーザが利用した自機の機能を利用機能として特定させる画像データ送信手段と、
上記画像データ送信手段が上記サーバに特定させた上記利用機能に対応する広告を上記表示部に表示させる表示制御手段と、を備えることを特徴とする写真撮影編集装置。
【請求項８】
ユーザを被写体とする撮影で得られた撮影画像または該撮影画像を編集した編集画像である画像データを、上記ユーザの指示により作成する写真撮影編集装置であって、
上記画像データの作成における上記ユーザの指示操作から、上記ユーザが利用した自機の機能を利用機能として特定する装置利用機能特定手段と、
上記装置利用機能特定手段が特定した上記利用機能を請求項６に記載のサーバに送信する装置利用機能送信手段と、を備えることを特徴とする写真撮影編集装置。
【請求項９】
請求項１から４のいずれか１項に記載の写真撮影編集装置としてコンピュータを機能させるための制御プログラムであって、コンピュータを上記各手段として機能させるための制御プログラム。
【請求項１０】
請求項６に記載のサーバとしてコンピュータを機能させるための制御プログラムであって、コンピュータを上記各手段として機能させるための制御プログラム。
【請求項１１】
請求項９に記載の制御プログラムを記録したコンピュータ読み取り可能な記録媒体。
【請求項１２】
請求項１０に記載の制御プログラムを記録したコンピュータ読み取り可能な記録媒体。
【発明の詳細な説明】
【技術分野】
【０００１】
本発明は、ユーザを被写体とする撮影で得られた撮影画像または該撮影画像を編集した編集画像である画像データを管理する画像管理サービスに係る、写真撮影編集装置、サーバ、および写真撮影編集装置およびサーバの制御プログラムに関する。
【背景技術】
【０００２】
写真シール作成装置は、写真シール作成ゲームの種々の工程において、多様な機能およびサービスを提供している。中でも、撮影した画像をサーバに送信する機能を有した写真シール作成装置は多い。この場合、ユーザは所定の操作を行うことで、撮影した画像をサーバからダウンロードすることができる。
【０００３】
また、近年、撮影した画像の保存および閲覧に画像提供サイトを利用することが増えてきている。画像提供サイトに撮影画像を保存する場合、ユーザは画像提供サイトに会員登録を行い、当該サイトにログインし各種操作を行うことで、撮影した画像のデータを画像提供サイトに保存する。保存した画像は、ユーザが好きな時に閲覧および編集することができる。
【０００４】
また一方、写真シール作成装置において、ユーザが写真シール作成ゲームを行う前後およびゲームの途中で、写真シール作成装置に備えられたモニタに、ユーザに対する案内や操作説明、広告などの情報を表示する技術が広く知られている。
【先行技術文献】
【特許文献】
【０００５】
【特許文献１】特開２０１２−１４１５６０号公報（２０１２年７月２６日公開）
【発明の概要】
【発明が解決しようとする課題】
【０００６】
上述のように、写真シール作成ゲームにおいてモニタに表示する情報は、ユーザにとって必要な情報、または、ユーザが興味を持つような情報であることが望ましい。そのため、例えば特許文献１には、利用者が選択した撮影コースに基づいてモニタに表示する広告データを決定することにより、モニタにより適切な情報を表示する技術が開示されている。
【０００７】
しかしながら、これら従来の写真シール作成装置では、写真シール作成ゲームを行っているユーザ一人一人の特性に応じた情報を表示することは難しい。
【０００８】
本発明は、上記問題に鑑みたものであり、その目的は、ユーザにより適切な情報を発信する写真撮影編集装置、サーバ、制御プログラムおよび記録媒体を実現することにある。
【課題を解決するための手段】
【０００９】
上記の課題を解決するために、本発明の一態様に係る写真撮影編集装置（写真シール作成装置１）は、ユーザを被写体とする撮影で得られた撮影画像または該撮影画像を編集した編集画像である画像データを、画像データを管理する画像管理サービス（画像提供サイト）を提供するサーバ（管理サーバ４）に送信する写真撮影編集装置であって、上記ユーザに情報を表示する表示部（タブレット内蔵モニタ１６１）と、上記画像管理サービスにおける上記ユーザの識別情報を取得する識別情報取得手段（認証制御部３１６）と、上記識別情報取得手段が取得した上記ユーザの識別情報を上記サーバに送信することにより、上記サーバに、上記画像管理サービスにおける上記ユーザの情報を利用するための会員認証を行わせる認証要求手段（認証制御部３１６）と、上記認証要求手段が要求した上記ユーザの認証が成功した場合、上記識別情報に関連付けられている上記ユーザの特性に対応する広告を上記表示部に表示させる表示制御手段（事後接客用モニタ制御部３１５Ｃ）と、を備えることを特徴とする。
【００１０】
上記構成によると、写真撮影編集装置は、会員認証が成功したユーザの特性に応じた広告を表示部に表示する。つまり、写真撮影編集装置は、ユーザに対しより適切な広告を発信することができる。
【００１１】
また、上記写真撮影編集装置は、上記識別情報取得手段は、複数の上記ユーザから上記識別情報を取得し、上記表示制御手段は、複数の上記ユーザそれぞれの特性に対応する広告を上記表示部に表示させてもよい。
【００１２】
上記構成によると、写真撮影編集装置は、複数のユーザについて会員認証を行い、会員認証が成功したユーザそれぞれの特性に応じた、すなわち、複数のユーザそれぞれに向けた広告を表示部に表示することができる。ここで、「複数のユーザ」とは、写真撮影編集装置にて行うゲーム（写真シール作成ゲーム）を一緒に行うユーザの集団（ユーザのグループ）である。したがって、写真撮影編集装置は、１回の写真シール作成ゲームに参加したユーザそれぞれに向けて、より適切な広告を発信することができる。
【００１３】
また、上記写真撮影編集装置は、上記識別情報取得手段が取得した上記ユーザの上記識別情報の数に応じて上記広告の表示位置を決定する表示位置決定手段（広告画面作成部３１５Ｂ）を備え、上記表示制御手段は、上記表示位置決定手段が決定した上記表示位置に、上記広告を表示してもよい。
【００１４】
上記構成によると、写真撮影編集装置は、識別情報の数、すなわちユーザ（１グループ内のユーザ）の数に応じて、サーバから受信した、各ユーザ向けの広告の表示位置（配置）を決定することができる。したがって、写真撮影編集装置は、各ユーザ向けの広告をより適切な配置でユーザに提示することができる。
【００１５】
また、上記写真撮影編集装置は、上記ユーザが所持する端末（携帯端末６）と近接通信を行う複数の通信部（非接触型ＩＣリーダ／ライタ９５Ａまたは非接触型ＩＣリーダ／ライタ９５Ｂ）と、上記通信部の、上記写真撮影編集装置における位置を示す認証位置を取得する認証位置取得手段（撮影制御部３１２および編集制御部３１３の少なくともいずれか）と、を備え、上記識別情報取得手段は、上記通信部を介して上記端末から上記識別情報を取得し、上記表示位置決定手段は、上記認証位置取得手段が取得した上記認証位置に応じて、上記表示部における上記広告の表示位置を決定してもよい。
【００１６】
上記構成によると、写真撮影編集装置は、ユーザが所持する端末と近接通信（会員認証）を行った通信部の位置、すなわち、端末を所持するユーザの、写真撮影編集装置に対する立ち位置（ユーザが会員認証を行った位置）に応じて、広告の表示位置を決定する。
【００１７】
ここで、「ユーザが会員認証を行った位置」は、ユーザが表示部を見るときの立ち位置の位置関係に近いと推定できる。そのため、写真撮影編集装置は、端末を所持するユーザの、写真撮影編集装置に対する立ち位置に応じて、広告の表示位置（表示レイアウト）を決定することにより、写真撮影編集装置の各ユーザに対し、より適切な位置（ユーザが広告を見易い位置）に広告を提示することができる。
【００１８】
上記の課題を解決するために、本発明の一態様に係るサーバ（管理サーバ４）は、上記写真撮影編集装置と通信を行うサーバであって、上記識別情報と、上記ユーザの特性とを対応づけた情報であるユーザ情報（会員情報４２２Ａ）を記憶する記憶部（記憶部４０２）と、上記写真撮影編集装置から受信した上記識別情報が、上記記憶部に記憶されている上記識別情報と一致するか否かを判定することにより会員認証を行い、上記会員認証の結果を上記写真撮影編集装置へ送信する認証手段（認証部４１５）と、上記会員認証が成功した場合、上記ユーザ情報を参照することにより、上記写真撮影編集装置から受信した上記識別情報に対応する上記ユーザの特性を特定するユーザ特性特定手段（表示広告決定部４１６）と、上記ユーザ特性特定手段が特定した上記ユーザの特性に応じて、上記写真撮影編集装置に配信する上記広告を決定する広告決定手段（表示広告決定部４１６）と、を備えることを特徴とする。
【００１９】
上記の構成によれば、上記サーバは、上記写真撮影編集装置と同様の効果を奏する。
【００２０】
上記の課題を解決するために、本発明の一態様に係るサーバ（管理サーバ５）は、写真撮影編集装置（写真シール作成装置１）においてユーザにより作成された画像データを受信し管理する画像管理サービス（画像提供サイト）を提供するサーバであって、上記画像に施された加工処理（画像編集処理）を特定することにより、上記ユーザが上記画像の作成において利用した、上記写真撮影編集装置の機能を利用機能として特定する利用機能特定手段（利用機能特定部７１５）と、上記利用機能特定手段が特定した上記ユーザの上記利用機能に応じた広告を含むメール（広告メール）を、上記ユーザ宛てに送信するメール作成手段（メール作成部７１２）と、を備えることを特徴とする。
【００２１】
利用機能は、ユーザが利用した写真撮影編集装置の機能である。そのため、利用機能は、写真撮影編集装置でのゲーム（写真シール作成ゲーム）における、ユーザの嗜好や操作傾向を表わしている。そのため、上記構成によるとサーバは、利用機能に応じた広告をユーザに配信することにより、ユーザに対しより適切な広告を発信することができる。
【００２２】
上記の課題を解決するために、本発明の一態様に係る写真撮影編集装置（写真シール作成装置１）は、ユーザを被写体とする撮影で得られた撮影画像または該撮影画像を編集した編集画像である画像データを、上記ユーザの指示により作成する写真撮影編集装置であって、上記ユーザに情報を表示する表示部（タブレット内蔵モニタ１６１）と、上記画像データを管理する画像管理サービス（画像提供サイト）を提供するサーバ（管理サーバ５）に上記画像データを送信することにより、上記画像データに施された加工処理（画像編集処理）から、上記画像データの作成において上記ユーザが利用した自機の機能を利用機能として特定させる画像データ送信手段（広告データ取得部３１５Ａ）と、上記画像データ送信手段が上記サーバに特定させた上記利用機能に対応する広告を上記表示部に表示させる表示制御手段（事後接客用モニタ制御部３１５Ｃ）と、を備えることを特徴とする。
【００２３】
上記構成によると、写真撮影編集装置は、利用機能に応じた広告を表示することができる。したがって、写真撮影編集装置は、ユーザに対しより適切な広告を発信することができる。
【００２４】
上記の課題を解決するために、本発明の一態様に係る写真撮影編集装置（写真シール作成装置１）は、ユーザを被写体とする撮影で得られた撮影画像または該撮影画像を編集した編集画像である画像データを、上記ユーザの指示により作成する写真撮影編集装置であって、上記画像データの作成における上記ユーザの指示操作から、上記ユーザが利用した自機の機能を利用機能として特定する装置利用機能特定手段（撮影制御部３１２および編集制御部３１３の少なくともいずれか）と、上記装置利用機能特定手段が特定した上記利用機能を上記サーバ（管理サーバ５）に送信する装置利用機能送信手段（事後接客制御部３１５）と、を備えていてもよい。
【００２５】
上記構成によると、写真撮影編集装置は、利用機能に応じた広告を含むメールをサーバからユーザ宛てに送信させることができる。したがって、写真撮影編集装置は、サーバを用いてユーザに対しより適切な広告を発信することができる。
【００２６】
本発明の各態様に係る写真撮影編集装置およびサーバは、コンピュータによって実現してもよく、この場合には、コンピュータを上記写真撮影編集装置が備える各手段として動作させることにより上記写真撮影編集装置をコンピュータにて実現させる写真撮影編集装置の制御プログラム、およびそれを記録したコンピュータ読み取り可能な記録媒体も、本発明の範疇に入る。
【発明の効果】
【００２７】
本発明によると、ユーザにより適切な情報を発信することが可能になるという効果を奏する。
【図面の簡単な説明】
【００２８】
【図１】本発明の第１実施形態に係る管理サーバの要部構成を示すブロック図である。
【図２】本発明の第１実施形態に係る撮影画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の第１実施形態に係る写真シール作成装置に備えられる制御部の詳細な構成例を示す機能ブロック図である。
【図１２】本発明の第１実施形態に係る携帯端末の要部構成を示すブロック図である。
【図１３】本発明の第１実施形態における会員登録処理時に携帯端末の表示部に表示されるウェブページの一例を示す画面遷移図である。
【図１４】本発明の第１実施形態における写真撮影から画像保存までの一連の処理の流れの一例を示すシーケンス図である。
【図１５】本発明の第１実施形態における管理サーバへの画像保存処理時に携帯端末の表示部に表示されるウェブページの一例を示す画面遷移図である。
【図１６】本発明の第１実施形態に係る撮影画像管理システムにおける携帯端末への画像保存に関する一連の処理の流れの一例を示すシーケンス図である。
【図１７】本発明の第１実施形態における携帯端末への画像保存処理時に携帯端末の表示部に表示されるウェブページの一例を示す画面遷移図である。
【図１８】本発明の第１実施形態に係る管理サーバの会員データベースが格納する、会員情報のデータ構造および具体例を示す図である。
【図１９】本発明の第１実施形態に係る管理サーバの広告データベースが格納する、広告関連情報のデータ構造および具体例を示す図である。
【図２０】本発明の第１実施形態における写真シール作成装置が、ユーザに応じた広告を表示するときの具体例を示す図である。図２０の（ａ）は、ユーザの行う会員認証のための操作を示し、図２０の（ｂ）は上記操作による会員認証の後、事後接客部にて表示される広告を示す。
【図２１】本発明の第１実施形態に係る写真シール作成装置が広告を表示する処理の流れの一例を示すシーケンス図である。
【図２２】本発明の第２実施形態に係る管理サーバの要部構成を示すブロック図である。
【図２３】本発明の第２実施形態に係る写真シール作成装置にて行われる写真シール作成ゲームの編集工程にて表示される画面およびユーザの操作の一例を示す図である。
【発明を実施するための形態】
【００２９】
〔実施形態１〕
本発明の第１実施形態について、図１〜図２１を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００３０】
（撮影画像管理システム１０）
図２は、本発明の第１実施形態に係る撮影画像管理システム１０の構成を示す図である。図２に示すように、撮影画像管理システム１０は、写真シール作成装置１（写真撮影編集装置）、携帯端末６、および管理サーバ４（サーバ）を備えている。
【００３１】
撮影画像管理システム１０の概要について、以下に説明する。撮影画像管理システム１０は、ユーザの写真撮影、画像の編集、画像の写真シールとしての印刷、および画像提供サイト（画像管理サービス）への画像の保存を実現するサービスをユーザに提供する。写真撮影、画像編集、および写真シール印刷のサービスは、ゲームセンターなどの店舗に設置された写真シール作成装置１によって提供される。画像保存のサービスは、画像提供サイトを管理する管理サーバ４によって提供される。ユーザは、自身が所持する携帯端末６を操作することによって、自身の撮影画像を画像提供サイトに保存することができる。
【００３２】
画像提供サイトへの画像の保存には、事前の会員登録が必要である。ユーザは、無料会員として自身を画像提供サイトに登録する。無料会員は、会費を支払う必要がないが、画像提供サイトは保存できる画像の枚数に制限を受ける。本実施形態では、無料会員は、一回のゲームごとに一枚の画像のみを画像提供サイトに保存できる。
【００３３】
ユーザは、自身の会員属性（会員種別）を、無料会員から有料会員に変更することができる。有料会員は、一定の会費を継続的に支払う必要がある代わりに、画像提供サイトに無制限に画像を保存できる。本実施形態では、一回の写真撮影によって生成された撮影画像を全て画像提供サイトに保存できる。
【００３４】
撮影画像管理システム１０における写真撮影から画像保存までの流れについて、以下に簡潔に説明する。一人または複数人のユーザは、代金を写真シール作成装置１に支払い、写真撮影および画像編集に関するゲームをプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。
【００３５】
ゲームの終了後、ユーザは写真シールを手に入れる。一方、写真シール作成装置１は、生成した画像に、入力されたユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用のアカウント領域に、画像が保存される。
【００３６】
画像提供サイトへの画像保存後、ユーザは、携帯端末６または所望の他の装置を用いて画像提供サイトにログインして、画像をダウンロードすることができる。
【００３７】
（写真シール作成装置の構成）
撮影画像管理システム１０を構成する各装置の構成および機能について、以下に詳細に説明する。まず、写真シール作成装置１の詳細について、図３〜図１１を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００３８】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００３９】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００４０】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００４１】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００４２】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００４３】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００４４】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００４５】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００４６】
（編集部１２）
編集部１２      は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００４７】
図３に示す編集部１２の構成を正面側の構成とすると、２組のユーザが同時に編集することができるように、編集部１２の正面側と背面側には編集制御に用いられる構成がそれぞれ設けられる。
【００４８】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００４９】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００５０】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００５１】
（事後接客部１３）
図４は、写真シール作成装置の外観を他の角度からみた斜視図である。事後接客部１３は事後接客を行い、ユーザに事後接客に対する操作を行わせる装置である。事後接客には、画像（編集済みの画像を含む）を管理サーバ４に送信する処理、ミニゲームをユーザに行わせる処理、アンケートに答えさせる処理などが含まれる。
【００５２】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。
【００５３】
（ユーザの移動）
写真シール作成ゲームの流れと、それに伴うユーザの移動について図５を参照して説明する。図５は、ユーザの移動について説明する図である。
【００５４】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００５５】
なお、ユーザの画像の撮影においては、すべての撮影がシール紙に印刷される画像を撮影するものとは限らず、携帯端末６に送信するため（又は、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００５６】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５７】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００５８】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００５９】
画像の印刷が終了したとき、ユーザは、事後接客部１３に設けられた排出口からシール紙を受け取り、一連の写真シール作成ゲームを終えることになる。
【００６０】
（各部材の構成）
次に、写真シール作成装置１に備えられる各部材の構成について説明する。
【００６１】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００６２】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００６３】
正面パネル４１のほぼ中央には撮影・表示ユニット８１が設けられる。撮影・表示ユニット８１は、カメラ９１、正面ストロボ９２、タッチパネルモニタ９３、非接触型ＩＣリーダ／ライタ９４Ａ、および非接触型ＩＣリーダ／ライタ９４Ｂから構成される。
【００６４】
カメラ９１は、ＣＣＤ（Charge Coupled Device）またはＣＭＯＳ（complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００６５】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００６６】
非接触型ＩＣリーダ／ライタ９４Ａおよび９４Ｂは、近接された非接触型ＩＣと非接触通信（近接通信）を行い、非接触型ＩＣからのデータの読み出しおよび非接触型ＩＣに対するデータの書き込みを行うものである。
【００６７】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００６８】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００６９】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００７０】
足元ストロボ８６の右側には、ユーザがお金を投入する硬貨投入返却口８７が設けられる。
【００７１】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００７２】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００７３】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００７４】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。また、タブレット内蔵モニタ１３１の左下側、すなわち、タッチペン１３２Ａの下側には非接触型ＩＣリーダ／ライタ９５Ａが設けられる。さらに、タブレット内蔵モニタ１３１の右下側、すなわち、タッチペン１３２Ｂの下側には非接触型ＩＣリーダ／ライタ９５Ｂが設けられる。
【００７５】
タブレット内蔵モニタ１３１は、タッチペン１３２Ａおよび１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００７６】
非接触型ＩＣリーダ／ライタ９５Ａおよび９５Ｂ（通信部）は、近接された非接触型ＩＣと非接触通信（近接通信）を行い、非接触型ＩＣからのデータの読み出しおよび非接触型ＩＣに対するデータの書き込みを行うものである。
【００７７】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００７８】
（事後接客部１３）
編集部１２の左側には事後接客部１３が設けられる。図９は、写真シール作成装置１に備えられる事後接客部１３の構成例を示す図である。
【００７９】
事後接客部１３の上方中央にはタブレット内蔵モニタ１６１（表示部）が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、事後接客の工程において用いられる画面が表示される。具体的には、タブレット内蔵モニタ１６１には、写真シール作成ゲームを行ったユーザに向けた広告、ミニゲーム、またはアンケートなどの情報が表示される。
【００８０】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００８１】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００８２】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００８３】
スピーカ１６５は、事後接客時の案内音声、ＢＧＭ、効果音等の音を出力する。
【００８４】
なお、本実施形態に係る写真シール作成装置１は、図示しないが、事前接客部を備えていてもよい。事前接客部の構成については後述する。
【００８５】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００８６】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００８７】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。なお、記憶部２０２は、広告レイアウトデータ２０２Ａを格納している。広告レイアウトデータ２０２Ａの詳細については後述する。
【００８８】
通信部２０３はインターネットなどのネットワークのインタフェースであり、制御部２０１による制御に従って外部の装置と通信を行う。
【００８９】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００９０】
ＲＯＭ２０６には、制御部２０１において実行されるプログラムおよびデータが記憶されている。ＲＡＭ２０７は、制御部２０１が処理するデータおよびプログラムを一時的に記憶する。
【００９１】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、スピーカ２２４、および非接触型ＩＣリーダ／ライタ９４Ａ、および非接触型ＩＣリーダ／ライタ９４Ｂから構成される。
【００９２】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００９３】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【００９４】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【００９５】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【００９６】
カメラ９１は、制御部２０１による制御に従って撮影を行い、撮影によって得られた画像（画像）を制御部２０１に出力する。
【００９７】
非接触型ＩＣリーダ／ライタ９４Ａおよび９４Ｂは、近接された非接触型ＩＣからデータを読み出し制御部２０１へ送信する。また、非接触型ＩＣリーダ／ライタ９４Ａおよび９４Ｂは、制御部２０１から受信したデータを非接触型ＩＣに書き込む。
【００９８】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、スピーカ２３１、非接触型ＩＣリーダ／ライタ９５Ａ、および非接触型ＩＣリーダ／ライタ９５Ｂから構成される。編集部１２Ｂも編集部１２Ａと同一の構成を有しており、編集空間Ａ２−２におけるユーザの編集制御に関する処理を行う。
【００９９】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。非接触型ＩＣリーダ／ライタ９５Ａおよび９５Ｂも、非接触型ＩＣリーダ／ライタ９４Ａおよび９４Ｂと同様に、近接された非接触型ＩＣからデータを読み出し制御部２０１へ送信し、制御部２０１から受信したデータを非接触型ＩＣに書き込む。
【０１００】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【０１０１】
タブレット内蔵モニタ１６１の事後接客用モニタは、制御部２０１による制御に従って事後接客用の画面を表示する。また、タブレット内蔵モニタ１６１のタブレットは、ユーザの入力操作を入力信号として検出し、制御部２０１へと送信する。
【０１０２】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【０１０３】
また、印刷部２１１は、印刷制御に係る処理において、シール紙への撮影画像（又は編集画像）の印刷に加え、欄外（シール紙の端部など）に、管理サーバ４へ送信した画像を取得するためのＵＲＬ（Uniform Resource Locater）、及び、シールＩＤ（画像取得用ＩＤ）などを印刷してもよい。シールＩＤとは、写真シール作成装置１において１ゲーム中に生成された１又は複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を携帯端末６に表示させることができる。
【０１０４】
これは、例えば、事後接客部１３などにおいてユーザからメールアドレスの入力を受け付ける際に、タイムアウトやミス入力により正しいアドレスを受け付けることができず、画像を取得するためのＵＲＬなどの情報をユーザに送信することができないなど場合に、シール紙に印刷されているＵＲＬにアクセスしてシールＩＤを入力することによりユーザが画像を取得することができるようにするためである。
【０１０５】
なお、印刷部２１１は、画像を取得するための情報として、ＵＲＬではなく、例えば、所定のメールアドレス又はＱＲコード（登録商標）などを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコード（登録商標）が印刷されている場合には、ユーザは、携帯端末６を用いてＱＲコード（登録商標）の示すウェブページへアクセスすることにより、画像取得用ページへ直接アクセスすることもできる。
【０１０６】
本実施形態に係る写真シール作成装置１は、上述の通り事前接客部を備えていてもよい。事前接客部は、写真シール作成ゲームを行う前のユーザ（写真シール作成ゲームの開始の順番待ちをしているユーザ）に対し接客（事前接客）を行うものである。事前接客部は、少なくともタブレット内蔵モニタを備える。なお、当該タブレット内蔵モニタは、事後接客部の備えるタブレット内蔵モニタ１６１と同様の構成および機能を備えていればよい。また、事前接客部は、非接触型ＩＣリーダ／ライタを備えていてもよい。なお、当該非接触型ＩＤリーダ／ライタは、事後接客部１３が備える非接触型ＩＤリーダ／ライタ９５Ａおよび９５Ｂと同様の構成および機能を備えていればよい。
【０１０７】
（制御部の構成）
図１１は、写真シール作成装置１に備えられる制御部２０１の詳細な構成例を示す機能ブロック図である。この図に示すように、制御部２０１は、通信制御部３１１、撮影制御部３１２、編集制御部３１３、印刷制御部３１４、事後接客制御部３１５、および認証制御部３１６（識別情報取得手段、認証要求手段、認証位置取得手段）を備えている。
【０１０８】
通信制御部３１１は、通信部２０３による外部の装置との通信を制御する。
【０１０９】
撮影制御部３１２は、撮影部２１による、写真シール作成ゲームを開始する際に投入される代金に関する処理と、ユーザの撮影制御に従いユーザグループを撮影する等、写真シール作成ゲームにおけるユーザの撮影制御に関する処理とを制御する。撮影制御部３１２は、画像が撮影された日時に関する日時情報を生成することもできる。
【０１１０】
編集制御部３１３は、編集部１２Ａおよび編集部１２Ｂによる画像に対する落書き編集等、写真シール作成ゲームにおけるユーザの編集制御に関する処理を制御する。
【０１１１】
印刷制御部３１４は、印刷部２１１によるシール紙の印刷等、写真シール作成ゲームにおけるユーザの印刷制御に関する処理を制御する。
【０１１２】
認証制御部３１６は、写真シール作成装置１において会員認証に係る処理を制御する。認証制御部３１６は、非接触型ＩＣリーダ／ライタ９５Ａおよび９５Ｂから、携帯端末６のユーザの認証に係る情報（認証情報）を受信する。認証情報としては、例えば、携帯端末６のユーザの、画像提供サイトでの会員ＩＤおよびパスワードを用いることができる。
【０１１３】
また、認証制御部３１６は、通信部２０３および通信制御部３１１を介して、受信した認証情報を管理サーバ４に送信することにより、管理サーバ４に会員認証を要求する。そして、認証制御部３１６は、管理サーバ４から、上記会員認証の認証結果を取得する。さらに、認証制御部３１６は、管理サーバ４での会員認証が成功した場合、会員認証が成功したユーザの識別情報（後で詳述する）をＲＡＭ２０７に格納する。
【０１１４】
なお、認証制御部３１６は、写真シール作成装置１が事前接客部を設ける場合、当該事前接客部が備える非接触型ＩＤリーダ／ライタから認証情報を受信してもよい。
【０１１５】
なお、認証制御部３１６は、非接触型ＩＣリーダ／ライタ９５Ａおよび９５Ｂから認証情報を受信するのではなく、タッチパネルモニタ９３、タブレット内蔵モニタ１３１または１６１等でユーザが直接入力した情報（会員ＩＤ、メールアドレス、およびパスワードなど）を認証情報として取得してもよい。
【０１１６】
また、認証制御部３１６は、非接触型ＩＣリーダ／ライタ９５Ａおよび９５Ｂから認証情報を受信するのではなく、認証情報がエンコードされた二次元バーコードをカメラ９１（または二次元バーコードを読み取るためのサブカメラ等）で読み取ることにより認証情報を取得し、後述の会員認証に係る処理を行ってもよい。
【０１１７】
事後接客制御部３１５は、事後接客部１３による、編集作業を終了したユーザグループを接客する処理等、写真シール作成ゲームにおける事後接客に関する処理を制御する。事後接客制御部３１５は、さらに詳しくは、広告データ取得部３１５Ａ（画像データ送信手段）と、広告画面作成部３１５Ｂ（表示位置決定手段）と、事後接客用モニタ制御部３１５Ｃ（表示制御手段）とを備える。
【０１１８】
広告データ取得部３１５Ａは、ＲＡＭ２０７に記憶された識別情報を読み出し、管理サーバ４に送信することにより、管理サーバ４から識別情報が示す会員ユーザの特性に応じた広告のデータを取得する。ここで、「識別情報」とは、会員ユーザを一意に示す情報、または情報の組合せである。識別情報としては、例えば画像提供サイトにおけるユーザの会員ＩＤを用いることができる。広告データ取得部３１５Ａは、取得した広告のデータ（広告データ）を広告画面作成部３１５Ｂに送る。なお、広告データの詳細については後述する。
【０１１９】
なお、本実施形態では、広告データ取得部３１５Ａは、１名の会員ユーザ、すなわち１つの会員ＩＤに対し１つの広告データを受信することとする。しかしながら、広告データ取得部３１５Ａは、１つの会員ＩＤに対し、複数の広告データを受信してもよい。また、広告データ取得部３１５Ａは、会員ユーザの特性に応じた広告データ以外に、会員ユーザを含む全ユーザに共通で提示する広告のデータを受信してもよい。
【０１２０】
また、全ユーザ共通の広告データは、管理サーバ４から受信するのではなく、写真シール作成装置１自身が記憶部２０２に格納していてもよい。この場合、写真シール作成装置１は、管理サーバ４から会員ユーザの特性を示す情報を受信し、当該特性に応じた広告データを記憶部２０２から読み出せばよい。
【０１２１】
さらにこの場合、写真シール作成装置１は、記憶部２０２に格納された広告データを、写真シール作成装置１のメンテナンス時や写真シール作成装置１を動作させる制御プログラム等のアップデート時に更新すればよい。また、写真シール作成装置１は、写真シール作成装置１の立ち上り時（起動時）もしくは一日の所定の時間帯に管理サーバ４とアクセスすることにより上記広告データを更新してもよい。また、広告データ取得部３１５Ａは、管理サーバ４から得た広告データと、記憶部２０２から読み出した広告データとを広告画面作成部３１５Ｂへと送信してもよい。
【０１２２】
広告画面作成部３１５Ｂは、広告データ取得部３１５Ａが取得した広告データと、記憶部２０２に格納されている広告レイアウトデータ２０２Ａとから、タブレット内蔵モニタ１６１に表示させる画面のデータ（広告画面データ）を作成するものである。ここで、広告レイアウトデータ２０２Ａとは、広告データをタブレット内蔵モニタ１６１に表示する場合において、各広告データの表示レイアウトを既定するデータである。具体的には、広告レイアウトデータ２０２Ａとは、ボタンや画像、テキストの表示枠などのオブジェクトの配置を既定する情報である。また、広告レイアウトデータ２０２Ａは、広告データを埋め込む領域（広告データの表示枠）を１つ以上有する。
【０１２３】
広告画面作成部３１５Ｂは、広告データ取得部３１５Ａから受信した広告データの数に応じた広告レイアウトデータ２０２Ａを記憶部２０２から読み出し、読み出した広告レイアウトデータ２０２Ａに、広告データを合成する（埋め込む）ことにより、広告画面のデータを作成する。広告画面作成部３１５Ｂは、作成した広告画面のデータを、事後接客用モニタ制御部３１５Ｃへ送信する。
【０１２４】
事後接客用モニタ制御部３１５Ｃは、タブレット内蔵モニタ１６１の表示制御を行うものである。事後接客用モニタ制御部３１５Ｃは、広告画面作成部３１５Ｂから広告画面のデータを受信すると、当該広告画面をタブレット内蔵モニタ１６１に表示させる。
【０１２５】
ここで、写真シール作成装置１の利用者が、タブレット内蔵モニタ１６１において当該広告が表示されている画面領域をタップする（広告を選択する）と、事後接客制御部３１５はタップが行われた位置を取得し、当該位置から、タップされた（選択された）広告を特定する。そして、事後接客制御部３１５は、特定した広告についてのさらに詳細な広告（詳細広告）を、ユーザのメールアドレス宛てに送信してもよい。なお、ユーザのメールアドレスは、事後接客時にユーザにより直接入力されるものであってもよいし、後述する会員認証が成功した際に、管理サーバ４から会員情報として受信してもよい。もしくは、上述のように広告を表示しているタブレット内蔵モニタ１６１の所定の領域がタップされたとき、写真シール作成装置１が、管理サーバ４にタップされた広告と、その広告を提示する対象のユーザを特定する情報とを通知してもよい。そして、管理サーバ４は、後述する会員情報を参照し、写真シール作成装置１から通知されたユーザのメールアドレス宛てに詳細広告や問合せ先（広告主への問合せ）の情報を含むメールを送信してもよい。
【０１２６】
これにより、写真シール作成装置１のユーザは、より深く広告内容を知りたい時はタブレット内蔵モニタ１６１に表示されている広告をタップすることにより、タップした広告の詳細広告を携帯端末６で取得および閲覧することができる。
【０１２７】
なお、写真シール作成装置１（タブレット内蔵モニタ１６１）を複数のユーザが利用している場合、その全ての利用者のメールアドレスに詳細広告を送信してもよい。または、ユーザにより広告がタップ（選択）された後で、現在タブレット内蔵モニタ１６１を利用（閲覧）していると想定される利用者の情報（ニックネーム、メールアドレスなど）を表示し、ユーザに詳細広告の送信先を選択させてもよい。
【０１２８】
さらに、写真シール作成装置１が、非接触型ＩＣリーダ／ライタ、およびタブレット内蔵モニタ等を備えた事前接客部を設ける場合、写真シール作成装置１の制御部２０１は、図示しないが、事前接客制御部を備える。
【０１２９】
事前接客制御部は、事前接客部による事前接客に関する処理を制御する。具体的には、事前接客制御部は、事前接客の間に認証制御部３１６が認証に成功した場合、認証制御部３１６から認証情報を取得する。そして、事前接客制御部は、事後接客制御部３１５と同様の方法で、ユーザの特性に合致した広告データを受信し、事前接客部のタブレット内蔵モニタにユーザ向けの広告を表示させる。
【０１３０】
これにより、写真シール作成装置１は、ユーザに写真シール作成ゲームが始まる前に、当該ユーザの特性に合致した広告を提示することができる。換言すると、写真シール作成装置１は、ユーザのゲーム開始までの待ち時間を事前接客の時間とし、当該ユーザ向けの広告を提示することで、待ち時間を有効に活用してユーザに効果的に広告を提示することができる。
【０１３１】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。
【０１３２】
（制御部４０１の詳細）
図１に示すように、制御部４０１は、通信制御部４１１、メール作成部４１２（メール作成手段）、ウェブページ作成部４１３、画像管理部４１４、認証部４１５（認証手段）、および表示広告決定部４１６（ユーザ特性特定手段、広告決定手段）を備えている。
【０１３３】
（通信制御部４１１）
通信制御部４１１は、通信部４０３による通信を制御する。
【０１３４】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【０１３５】
（ウェブページ作成部４１３）
ウェブページ作成部４１３は、携帯端末６に表示されるウェブページを作成する。本実施形態では、ウェブページ作成部４１３は、ウェブページデータベース４２３に格納されているデータを用いて、携帯端末６から受信したアクセス要求に応じたウェブページを作成し、通信制御部４１１に出力する。詳細は後述するが、ウェブページ作成部４１３は、ユーザの会員種別に応じたウェブページを作成する。
【０１３６】
なお、以下において「ページ」は、例えば、ウェブページのように、管理サーバ４が携帯端末６等の通信端末に送信して表示するためのデータを意味する。上記ページには、通常、テキストデータおよび画像データが含まれており、さらに、音声データおよび動画データが含まれていてもよい。
【０１３７】
（画像管理部４１４）
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。
【０１３８】
（認証部４１５）
認証部４１５は、写真シール作成装置１からのユーザ認証の要求を受け付け、ユーザ認証を行うものである。認証部４１５は、写真シール作成装置１から、会員認証に必要な情報（認証情報）を受信すると、当該認証情報を用いて会員認証を行う。そして、認証部４１５は、認証結果を写真シール作成装置１へと送信する。
【０１３９】
（表示広告決定部４１６）
表示広告決定部４１６は、写真シール作成装置１からの広告データの要求を受け付け、後述の広告データベース４２５から、写真シール作成装置１が表示する広告データを諸条件に従って決定するものである。具体的には、諸条件は、会員ユーザの年齢、性別、趣味、嗜好、住所、学校、職業等の会員属性から決定される。また、上記諸条件は、写真シール作成装置１の操作履歴、使用した合成用画像の種類（特にメイク用（コスメ用）の合成画像処理を使用した場合の、合成用画像の種類）、カラーコンタクトを使用した場合の、当該カラーコンタクトの色等に応じて決定してもよい。
【０１４０】
表示広告決定部４１６は、決定した広告データを広告データベース４２５から読み出し、写真シール作成装置１へと送信する。表示広告決定部４１６の広告を決定する処理の詳細については後述する。
【０１４１】
（記憶部４０２の詳細）
図１に示すように、記憶部４０２は、メールデータベース４２１、会員データベース４２２、ウェブページデータベース４２３、および画像データベース４２４を有している。
【０１４２】
（メールデータベース４２１）
メールデータベース４２１は、ユーザに送信するメールを作成するための各種データを格納している。
【０１４３】
（会員データベース４２２）
会員データベース４２２は、画像提供サイトの会員であるユーザに関する各種情報である会員情報４２２Ａ（ユーザ情報）を格納している。会員情報４２２Ａは、写真シール作成装置１を利用するユーザを特定する情報（ユーザ特定情報）をユーザ別に格納したデータである。ユーザ特定情報としては、例えば、ユーザの会員ＩＤ、メールアドレス、ニックネーム、生年月日、住所、会員属性、入会日、および、ユーザが保有する携帯端末の端末ＩＤなどを挙げることができる。また、会員属性としては、例えば、有料会員および無料会員などの会員種別を挙げることができる。なお、会員情報４２２Ａのデータ構造の詳細については後述する。
【０１４４】
（ウェブページデータベース４２３）
ウェブページデータベース４２３は、携帯端末６に表示される画像提供サイトのウェブページを作成するための各種データを格納している。
【０１４５】
（画像データベース４２４）
画像データベース４２４は、写真シール作成装置１によって作成されたユーザの画像のうち、画像提供サイトに保存するようにユーザによって指示された画像を格納している。画像データベース４２４には、画像が、会員データベース４２２に会員として登録されているユーザごとに区別されて格納されている。
【０１４６】
図示はしないが、記憶部４０２は、写真シール作成装置１から受信した画像などのデータを一時的に保存する一時保存データベースも有している。
【０１４７】
（広告データベース４２５）
広告データベース４２５は広告データ（図示せず）と、当該広告データに関する情報である広告関連情報４２５Ａとを格納する。ここで、「広告データ」とは、写真シール作成装置１の事後接客制御部３１５が、事後接客部１３のタブレット内蔵モニタ１６１に表示させる広告のデータである。広告データは、ユーザに広告、通知、または操作を要求するための内容を少なくとも含むデータである。広告データはまた、１件の広告を表示するためのテキスト、画像、動画、およびこれらを動的に表示させるためのスクリプト等から成る一連のデータであってもよい。広告データはそれぞれ、広告関連情報４２５Ａと対応づけられている。なお、広告関連情報４２５Ａのデータ構造の詳細については後述する。
【０１４８】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１４９】
（携帯端末６）
図１２は、本発明の実施形態１に係る携帯端末６の要部構成を示すブロック図である。この図に示すように、携帯端末６は、主に、制御部６０１、記憶部６０２、通信部６０３、入力部６０４、および表示部６０５を備えている。制御部６０１は、携帯端末６に備えられる各部材を統括制御する。記憶部６０２は、携帯端末６において使用される各種データを記憶する。携帯端末６は、撮影画像管理システム１０を構成する他の装置と通信する。入力部６０４は、タッチパネルなどの、ユーザが携帯端末６に情報を入力するための装置である。表示部６０５は、液晶表示装置などの、情報を表示するための装置である。
【０１５０】
（制御部６０１の詳細）
図１２に示すように、制御部６０１は、通信制御部６１１、入力制御部６１２、表示制御部６１３、および非接触型ＩＣ６１４を備えている。
【０１５１】
通信制御部６１１は、通信部６０３による通信を制御する。入力制御部６１２は、入力部６０４における情報入力を制御する。表示制御部６１３は、表示部６０５における情報表示を制御する。たとえば、通信制御部６１１から入力されたウェブページを表示制御部６１３が表示部６０５に出力することによって、当該ウェブページを表示部６０５に表示させることができる。
【０１５２】
非接触型ＩＣ６１４は、写真シール作成装置１の非接触型ＩＣリーダ／ライタと通信を行うものである。より具体的には、非接触型ＩＣ６１４は、非接触型ＩＣリーダ／ライタと近接すると、当該非接触型ＩＣリーダ／ライタに携帯端末６のユーザの認証情報を送信する。なお、非接触型ＩＣ６１４は、写真シール作成装置１の非接触型ＩＣリーダ／ライタ９４Ａ、９４Ｂ、９５Ａ、９５Ｂ、および１６３のいずれと通信を行ってもよい。
【０１５３】
（会員登録処理）
撮影画像管理システム１０では、画像提供サイトに会員登録したユーザが、撮影画像を画像提供サイトに保存することができる。ユーザは、所定の手順に従い自身を画像提供サイトに無料会員として登録する。その手順について、図１３を参照して以下に説明する。図１３は、会員登録処理時に携帯端末６の表示部６０５に表示されるウェブページの一例を示す画面遷移図である。
【０１５４】
ユーザは、画像提供サイトに会員登録するために、携帯端末６を用いて画像提供サイトにアクセスする。この結果、図１３の（ａ）に示すような画像提供サイトのトップページ１００１が、携帯端末６の表示部６０５に表示される。トップページ１００１は、会員ログイン処理を進めるためのリンク画像１００２、および無料会員登録処理を進めるためのリンク画像１００３を少なくとも含む。
【０１５５】
ユーザは、携帯端末６の入力部６０４を操作することによって、無料会員登録を進めるためのリンク画像１００３を選択する。この結果、携帯端末６は、管理サーバ４と通信し、結果として、図１３の（ｂ）に示すような、無料会員登録用のウェブページ１０１１を表示部６０５に表示する。
【０１５６】
ウェブページ１０１１は、無料会員登録されるユーザを特定する情報（ユーザ特定情報）を入力するための入力フォーム１０１２、および、入力されたユーザ特定情報を管理サーバ４に送信するためのリンク画像１０１３を少なくとも含む。ユーザは、携帯端末６の入力部６０４を操作することによって、ユーザの会員ＩＤ、パスワード、およびメールアドレスなどの各種の個人情報を、ユーザ特定情報として入力フォーム１０１２に入力する。ユーザは、ユーザ特定情報の入力完了後、リンク画像１０１３を選択する。これにより携帯端末６は、ユーザ特定情報を管理サーバ４に送信すると共に、ユーザの無料会員登録を管理サーバ４に要求する。
【０１５７】
管理サーバ４の通信制御部４１１は、携帯端末６から送信されたユーザ特定情報を通信部４０３を通じて受信する。通信制御部４１１は、受信したユーザ特定情報をメール作成部４１２に出力すると共に、会員登録用メールの作成をメール作成部４１２に指示する。この指示を受けて、メール作成部４１２は、図１３の（ｃ）に示すような会員登録用メール１０２１を作成する。会員登録用メール１０２１は、受信したユーザ特定情報に含まれるメールアドレス宛のメールであり、無料会員登録の完了を示すウェブページへのＵＲＬ１０２２を含んでいる。メール作成部４１２は、作成した会員登録用メール１０２１を通信制御部４１１に出力する。通信制御部４１１は、入力された会員登録用メール１０２１を、通信部４０３を介してユーザのメールアドレス宛に送信する。
【０１５８】
携帯端末６は、送信された会員登録用メール１０２１を受信し、表示部６０５に表示する。ユーザは、表示された会員登録用メール１０２１を確認し、ＵＲＬ１０２２を選択する。これにより携帯端末６は、ＵＲＬ１０２２によって特定されるウェブページを、管理サーバ４に要求する。
【０１５９】
この要求を受けて、管理サーバ４は、無料会員登録を完了させる。具体的には、管理サーバ４が、会員データベース４２２にユーザ用のアカウント領域を作成し、当該アカウント領域に、ユーザ特定情報を保存する。このとき、ユーザが無料会員であることを表す情報を、アカウント領域に追加する。最後に、管理サーバ４は、無料会員登録が完了したことを示すウェブページを作成し、携帯端末６に送信する。
【０１６０】
なお、ユーザは、無料会員の登録後、会員ＩＤ及びパスワードを入力することにより画像提供サイトにログインし、所定の手続きを踏むことによって、自身を有料会員として画像提供サイトに登録することができる。この登録完了後、ユーザのアカウント領域には、ユーザが有料会員であることを表す情報が追加される。
【０１６１】
（サービスの流れ）
次に、撮影画像管理システム１０によって提供されるサービスの流れの詳細について、図１４および図１５を参照して以下に説明する。図１４は、撮影画像管理システム１０における写真撮影から画像保存までの一連の処理の流れの一例を示すシーケンス図である。
【０１６２】
（写真撮影）
図１４に示すように、ユーザは、写真シール作成装置１においてゲームのプレイを開始する（ステップＳ１）。具体的には、ユーザは、写真シール作成装置１の正面パネル４１の前に立ち、ゲームのプレイに必要な料金の硬貨を、硬貨投入返却口８７に投入する。撮影制御部３１２は、所定の金額分の硬貨が投入されたか否かを、硬貨処理部２２１から供給される信号に基づいて判定する。
【０１６３】
所定の金額分の硬貨が投入されたと判定した場合、撮影制御部３１２は、撮影部２１を制御し、カメラ９１に取り込まれた被写体の動画像をタッチパネルモニタ９３にライブビュー表示させ、ユーザによる撮影制御に従って、撮影空間Ａ１にいるユーザを被写体として撮影する（ステップＳ２）。この撮影制御は撮影処理時間内に複数回行われる。
【０１６４】
なお、撮影制御における処理として、シール紙への印刷用の画像の撮影ではなく、携帯端末６への送信用の画像の撮影として、所定の回数の撮影を行うこともある。この場合には、携帯端末６への送信用の画像に適した画像として、合成用画像をクロマキ合成した画像、及び、色フィルターによるフィルタリング処理などの画像処理を施した画像を、撮影時に作成することもある。
【０１６５】
写真撮影の終了後、撮影制御部３１２は、撮影空間Ａ１にいるユーザに対して、編集空間Ａ２−１または編集空間Ａ２−２への移動を案内する。この案内は、案内画面を撮影部２１のタッチパネルモニタ９３に表示させることによって、または、音声案内をスピーカ２２４から出力させることによって、行われる。
【０１６６】
（画像編集）
案内が終了すると、編集制御部３１３はまず、認証制御部３１６に対し会員認証の開始を通知する。認証制御部３１６は当該通知を受けると、会員認証を行う（ステップＳ２００）なお、会員認証については後で詳述する。
【０１６７】
会員認証が終了すると、編集制御部３１３は、編集空間Ａ２−１と編集空間Ａ２−２のうち、撮影制御を終えたユーザの移動先とした方の編集空間に対応する編集部１２を制御することによって、編集部１２に画像を編集させる（ステップＳ３）。具体的には、編集制御部３１３は、編集対象画像として選択または取得された画像に合成するための合成用画像をユーザに選択させ、選択された合成用画像を画像に合成させ、得られた合成画像を、ユーザによる編集操作に従って編集する。また、携帯端末６への送信用の画像に対する編集として、例えば、画像を所定のサイズにトリミングする処理、色フィルターによるフィルタリング処理、及び、複数の画像を一つの画像として仕上げるコラージュ合成処理などの処理を行うこともできる。
【０１６８】
編集の終了後、編集制御部３１３は、編集空間Ａ２−１または編集空間Ａ２−２において編集制御を終えたユーザに、事後接客空間Ａ３への移動を案内する。この案内は、案内画面をタブレット内蔵モニタ１３１に表示させることによって、または、案内音声をスピーカ２３１から出力させることによって、行われる。
【０１６９】
なお、上述の会員認証（ステップＳ２００）は、撮影空間Ａ１における写真撮影（ステップＳ２）の終了後、後述の事後接客（ステップＳ５）の開始までの期間であれば、どのタイミングで行ってもよい。また、会員認証は、上記期間内であれば複数回行われてもよい。
【０１７０】
（写真シール印刷）
案内の終了後、印刷制御部３１４は、ユーザによって選択された画像をプリンタ２４１に出力してシール紙に印刷させる（ステップＳ４）。印刷が終了すると、事後接客制御部３１５は、印刷が終了した旨をタブレット内蔵モニタ１６１に表示させ、プリンタ２４１は、管理サーバ４及び写真シール作成装置１から同じ手順で画像を取得可能なように、写真シール作成装置１において作成されたシールＩＤおよび、画像取得情報（画像取得サイトのＵＲＬ、または、取得のためのメールアドレスなど）が欄外に印刷され、また、所定の画像が中央部に印刷されたシール紙をシール紙排出口１６４に排出する。
【０１７１】
（事後接客）
印刷中、事後接客制御部３１５は、事後接客部１３を制御し、印刷終了待機中のユーザに対する事後接客に関する処理を制御する（ステップＳ５）。具体的には、事後接客制御部３１５は、事後接客部１３による事後接客に関する処理として、写真シール作成ゲームにおいて画像（編集済みの画像を含む）を管理サーバ４に送信するための処理を制御する。その際、事後接客制御部３１５は、ゲームをプレイしたユーザのメールアドレスを入力するためのメールアドレスの入力画面、および、送信する画像の選択画面をタブレット内蔵モニタ１６１に表示させる。ユーザは、タッチペン１６２Ａまたはタッチペン１６２Ｂを用いることによって、現在用いているメールアドレスを入力すると共に、管理サーバ４に送信したい画像を選択する。
【０１７２】
（画像送信）
通信制御部３１１は、入力されたメールアドレスおよび選択された画像もしくは制御部２０１が送信対象と決定した画像を、通信部２０３を通じて管理サーバ４に送信する（ステップＳ６）。このとき送信される画像には、当該画像を一義的に特定するための識別子（画像ＩＤ）が関連付けられている。写真シール作成装置１から送信されたメールアドレス、画像、および画像ＩＤを、管理サーバ４の通信部４０３が受信し（ステップＳ７）、通信制御部４１１に出力する。通信制御部４１１は、受信した画像を、記憶部４０２の図示しない一時保存データベースに保存する。保存された画像などのデータは、規定の期限が経過するまで一時保存データベースに格納され続け、期限が経過すると自動的に一時保存データベースから削除される。
【０１７３】
なお、通信制御部３１１は、メールアドレスや画像の他に、写真シール作成装置１に対するユーザの操作ログや、画像編集時の合成用画像（落書き）の選択状況等、ユーザが利用した機能に係る情報を送信してもよい。
【０１７４】
なお、通信制御部３１１は、管理サーバ４に対し、ユーザが選択した所定の枚数の画像だけではなく、ユーザが将来有料会員になる場合を考慮して、すべての画像を送信してもよい。これにより、ユーザは、無料会員の状態で撮影したあと、サイト上で有料会員になった場合に、無料会員の状態で撮影したすべての画像を取得することができる。
【０１７５】
（案内メールの作成および送信）
通信制御部４１１は、受信したメールアドレスおよび画像ＩＤをメール作成部４１２に出力する。メール作成部４１２は、通信制御部４１１から受け取ったメールアドレス宛に送信される、画像の保存をユーザに案内する案内メールを作成する。その手順は次の通りである。メール作成部４１２は、画像ＩＤをウェブページ作成部４１３に出力すると共に、当該画像ＩＤによって特定される画像を保存するためのウェブページを示すＵＲＬ１１０２の生成を、ウェブページ作成部４１３に要求する。ウェブページ作成部４１３は、要求されたＵＲＬ１１０２を生成し、メール作成部４１２に出力する。
【０１７６】
メール作成部４１２は、案内メールを作成するためのデータをメールデータベース４２１から取得する。そして、当該データ、ＵＲＬ１１０２、およびユーザのメールアドレスを用いて、図１５の（ａ）に示す案内メール１１０１を作成する。案内メール１１０１の本文中には、ＵＲＬ１１０２が記載されている。メール作成部４１２は、作成した案内メール１１０１を通信制御部４１１に出力する。通信制御部４１１は、通信部４０３を介して、ユーザのメールアドレス宛に案内メール１１０１を送信する（ステップＳ８）。
【０１７７】
なお、メール作成部４１２は、画像ＩＤとその画像ＩＤにかかわる画像とをまとめるウェブページではなく、シールＩＤをユーザに入力してもらうだけのウェブページを示すＵＲＬを含む案内メールを送信してもよい。この場合には、管理サーバ４は、案内メールに含まれるＵＲＬの示すウェブページ上において、携帯端末６からシール紙の欄外に印刷されたシールＩＤの入力を受け付け、当該管理サーバ４に送信されている画像を表示するようにしてもよい。
【０１７８】
（画像保存用ウェブページの要求および送信）
携帯端末６の通信部６０３は、送信された案内メール１１０１を受信し（ステップＳ９）、通信制御部６１１に出力する。通信制御部６１１は、入力された案内メール１１０１を表示制御部６１３に出力する。表示制御部６１３は、入力された案内メール１１０１を表示部６０５に出力する。ユーザは、表示部６０５に表示された案内メール１１０１を確認し、画像提供サイトに画像を保存するために、入力部６０４を用いてＵＲＬ１１０２を選択する（ステップＳ１０）。
【０１７９】
入力制御部６１２は、入力部６０４における選択入力を受け付け、ＵＲＬ１１０２が選択されたことを通信制御部６１１に通知する。これを受けて通信制御部６１１は、選択されたＵＲＬ１１０２に対応するウェブページを、管理サーバ４に要求する。具体的な手順は次の通りである。通信制御部６１１は、記憶部６０２に格納されているユーザの会員ＩＤを取得し、この会員ＩＤを含みかつウェブページの提供を求める所定のリクエストを、通信部６０３を通じて管理サーバ４に送信する。
【０１８０】
通信制御部４１１は、送信されたリクエストを通信部４０３を通じて受信し（ステップＳ１１）、ウェブページ作成部４１３に出力する。ウェブページ作成部４１３は、リクエストに含まれる会員ＩＤを会員データベース４２２に照会することによって、ユーザの会員種別を判定する（ステップＳ１２）。本実施形態では、ウェブページ作成部４１３は、ユーザが無料会員および有料会員のいずれであるかを判定し、判定結果に応じたウェブページを作成する。ウェブページ作成部４１３は、ユーザが無料会員であると判定した場合には、図１５（ｂ）に示すような、無料会員が画像を保存するためのウェブページ１１０３を作成する。一方、ユーザが有料会員であると判定した場合には、図１５（ｃ）に示すような、有料会員が画像を保存するためのウェブページ１１０７を作成する。
【０１８１】
図１５（ｂ）に示すように、ウェブページ１１０３は、一つのサムネイル画像１１０４、ユーザに有料会員の登録を促すリンク画像１１０５、および、画像提供サイトに画像を一枚保存するためのリンク画像１１０６を含んでいる。ユーザが無料会員である場合には保存できる画像が一枚であるため、サムネイル画像１１０４は、その一枚の画像のサムネイルである。なお、当該一枚の画像とは、写真シール作成装置１においてユーザにより選択された画像である。一方、画像が複数枚ある場合、サムネイル画像１１０４は、これら複数の画像のいずれかのサムネイルである。
【０１８２】
図１５（ｃ）に示すように、ウェブページ１１０７は、一つのサムネイル画像１１０４、および、全ての画像を保存するためのリンク画像１１０８を含んでいる。
【０１８３】
本例では、ユーザは無料会員であるので、ウェブページ作成部４１３は、無料会員用のウェブページ１１０３を作成する。ウェブページ作成部４１３は、作成したウェブページ１１０３を通信制御部４１１に出力する。通信制御部４１１は、入力されたウェブページ１１０３を、通信部４０３を通じて携帯端末６に送信する（ステップＳ１３）。
【０１８４】
（画像保存）
携帯端末６は、通信部６０３を通じてウェブページ１１０３を受信する（ステップＳ１４）。ウェブページ１１０３は、通信制御部６１１を介して表示制御部６１３に出力される。表示制御部６１３は、入力されたウェブページ１１０３を表示部６０５に出力する。ユーザは、表示部６０５に表示されたウェブページ１１０３を確認する。ユーザが無料会員である場合、画像が複数枚あったとしても、画像提供サイトに保存できるのは、それらのうちのいずれか一枚である。ユーザは、一枚の画像を保存したい場合、入力部６０４を通じてリンク画像１１０６を選択する。なお、当該保存したい画像は、写真シール作成装置１において携帯端末６へ送信する画像として選択した画像に限られず、例えば、画像提供サイトにアクセスしている携帯端末６において保存対象の画像として指定された画像であってもよい。
【０１８５】
入力制御部６１２は、入力部６０４における選択入力を受け付け、リンク画像１１０６が選択されたことを通信制御部６１１に通知する。これを受けて、通信制御部６１１は、画像保存の指示を管理サーバ４に送信する（ステップＳ１５）。
【０１８６】
送信された保存指示を、通信制御部４１１が通信部４０３を通じて受信する（ステップＳ１６）。これにより通信制御部４１１は、画像の保存を画像管理部４１４に指示する。画像管理部４１４は、この指示を受けて、一時保存データベースに格納されているユーザの画像を、ユーザの会員ＩＤに関連付けて画像データベース４２４に保存する（ステップＳ１７）。その際、画像が一枚なら、その画像を保存する。一方、画像が複数枚なら、そのうちのいずれか一つ（たとえばサムネイル画像１１０４に対応する画像）を保存する。これにより、図１４に示す一連の処理は完了する。
【０１８７】
なお、無料会員であるユーザは、全ての画像を保存したい場合、リンク画像１１０５を選択する。この場合、有料会員登録のための一連の処理が撮影画像管理システム１０において行われる。そして登録が完了すると、全ての画像がユーザの会員ＩＤに関連付けられて画像データベース４２４に保存される。
【０１８８】
また、ユーザが有料会員である場合の保存処理は、本質的には上述した無料会員の場合の保存処理と同じである。ただし、ユーザは、ウェブページ１１０７に含まれるリンク画像１１０８を選択する。これにより管理サーバ４は、画像データベース４２４におけるユーザのアカウント領域に、全ての画像を保存する。なお、ユーザによる保存する画像（無料会員であれば１枚の画像、有料会員であれば全ての画像）の選択は、写真シール作成装置１において受け付けられていてもよい。この場合には、画像管理部４１４は、写真シール作成装置１において選択されている画像を画像データベース４２４に保存すればよい。
【０１８９】
（携帯端末６への画像保存）
以下に、画像提供サイトに保存された画像をユーザの携帯端末６に保存する際の処理の流れについて、図１６および図１７を参照して説明する。図１６は、撮影画像管理システム１０における携帯端末６への画像保存に関する一連の処理の流れの一例を示すシーケンス図である。図１７は、携帯端末６への画像保存処理時に携帯端末６の表示部６０５に表示されるウェブページの一例を示す画面遷移図である。
【０１９０】
ユーザは、画像提供サイトにログインするために、画像提供サイトにアクセスする。その結果、図１７（ａ）に示すような画像提供サイトのトップページ１００１が、携帯端末６の表示部６０５に表示される。ユーザは、携帯端末６の入力部６０４を操作することによって、画像提供サイトへの会員ログイン処理を進めるためのリンク画像１００２を選択する。入力制御部６１２はこの選択操作を受け付けて、リンク画像１００２が選択されたことを通信制御部６１１に通知する。これにより通信制御部６１１は、ユーザの会員ＩＤおよびパスワードを記憶部６０２から読み出し、通信部６０３を通じて管理サーバ４に送信すると共に、画像提供サイトへのログインを管理サーバ４に要求する（ステップＳ２１）。なお、通信制御部６１１は、リンク画像１００２が選択された場合に、ユーザの会員ＩＤおよびパスワードを入力するためのウェブページを取得してもよい。この場合には、管理サーバ４は、ウェブページにおいて会員ＩＤおよびパスワードの入力を受け付ければよい。
【０１９１】
管理サーバ４の通信制御部４１１は、この要求を、通信部４０３を通じて受け付ける（ステップＳ２２）。次に通信制御部４１１は、受信した会員ＩＤおよびパスワードをウェブページ作成部４１３に出力すると共に、会員トップページ１０３１の作成をウェブページ作成部４１３に指示する。
【０１９２】
ウェブページ作成部４１３は、入力された会員ＩＤおよびパスワードを会員データベース４２２と照合することによって、ユーザが画像提供サイトに会員として登録されているか否かを判定する。登録されていると判定した場合、ウェブページデータベース４２３から、会員トップページ１０３１を生成するためのデータを取得する。ウェブページ作成部４１３は、当該データを用いて、図１７（ｂ）に示すような会員トップページ１０３１を生成し、通信制御部４１１に出力する。会員トップページ１０３１は、画像提供サイトに保存されているユーザの画像の一覧を表示するためのリンク画像１０３２を含んでいる。通信制御部４１１は、通信部４０３を通じて会員トップページ１０３１を携帯端末６に送信する（ステップＳ２３）。
【０１９３】
携帯端末６の通信制御部６１１は、通信部６０３を通じて、会員トップページ１０３１を受信する。通信制御部６１１は、受信した会員トップページ１０３１を表示制御部６１３に出力する。表示制御部６１３は、会員トップページ１０３１を表示部６０５に出力する。結果、表示部６０５に会員トップページ１０３１が表示される（ステップＳ２４）。
【０１９４】
ユーザは、携帯端末６の入力部６０４を操作することによって、リンク画像１０３２を選択する（ステップＳ２５）。入力制御部６１２が、この選択操作を受け付けて、リンク画像１０３２が選択されたことを通信制御部６１１に通知する。これにより通信制御部６１１は、画像提供サイトに保存されているユーザの画像の一覧を含むウェブページの提供を求めるリクエストを、通信部６０３を通じて管理サーバ４に送信する。
【０１９５】
管理サーバ４の通信制御部４１１は、送信されたリクエストを、通信部４０３を通じて受け付ける（ステップＳ２６）。次に通信制御部４１１は、画像データベース４２４に保存されているユーザの画像の一覧を含む画像一覧ページ１０４１の生成を、ウェブページ作成部４１３に指示する。
【０１９６】
ウェブページ作成部４１３は、画像一覧ページ１０４１を生成するためのデータを、ウェブページデータベース４２３から取得する。ウェブページ作成部４１３は、データを用いると共に、画像データベース４２４に保存されているユーザの全画像を参照することによって、図１７（ｃ）に示すような画像一覧ページ１０４１を生成し、通信制御部４１１に出力する。画像一覧ページ１０４１は、画像データベース４２４に保存されているユーザの全画像を個別に表す、複数のサムネイル画像１０４２を含んでいる。通信制御部４１１は、通信部４０３を通じて画像一覧ページ１０４１を携帯端末６に送信する（ステップＳ２７）。
【０１９７】
携帯端末６の通信制御部６１１は、通信部６０３を通じて画像一覧ページ１０４１を受信する。通信制御部６１１は、受信した画像一覧ページ１０４１を表示制御部６１３に出力する。表示制御部６１３は、画像一覧ページ１０４１を表示部６０５に出力する。結果、表示部６０５に画像一覧ページ１０４１が表示される（ステップＳ２８）。
【０１９８】
ユーザは、携帯端末６の入力部６０４を操作することによって、表示中のサムネイル画像１０４２のうち、携帯端末６に保存したい画像に対応するサムネイル画像１０４２を選択する（ステップＳ２９）。入力制御部６１２は、この選択操作を受け付けて、サムネイル画像１０４２が選択されたことを通信制御部６１１に通知する。これにより通信制御部６１１は、選択されたサムネイル画像１０４２に対応する画像の提供を求めるリクエストを、通信部６０３を通じて管理サーバ４に送信する。
【０１９９】
管理サーバ４の通信制御部４１１は、通信部４０３を通じて、送信されたリクエストを受信する（ステップＳ３０）。次に通信制御部４１１は、携帯端末６から提供を求められたユーザの画像を通信制御部４１１に出力するように、画像管理部４１４に指示する。
【０２００】
画像管理部４１４は、指示された画像を画像データベース４２４から取得し、通信制御部４１１に出力する。通信制御部４１１は、通信部４０３を通じて、入力された画像を携帯端末６に送信する（ステップＳ３１）。
【０２０１】
携帯端末６の通信制御部６１１は、通信部６０３を通じて、送信された画像を受信し、記憶部６０２に保存する（ステップＳ３２）。以上により、携帯端末６への画像保存処理が完了する。
【０２０２】
なお、上述の説明では、携帯端末６が画像提供サイトへログインすることにより画像を取得する構成を例に挙げて説明したが、本実施形態では、シールＩＤを用いて画像を取得することもできる。例えば、携帯端末６は、シール紙に印刷されているＵＲＬ（又は、案内メールに含まれるＵＲＬ）の示すウェブページにアクセスすると共に、ユーザによるシールＩＤの入力操作を受け付けることにより、画像取得用ページにアクセスする。
【０２０３】
このとき、画像取得用ページは、ユーザが有料会員である場合にはシールＩＤにより特定される画像であって１ゲーム中に生成された全ての画像をユーザが選択可能に一覧表示し、ユーザが無料会員である場合にシールＩＤにより特定される全画像のうち１枚の画像のみをユーザが選択可能に一覧表示してもよい。また、画像取得用ページは、ユーザが無料会員である場合には、写真シール作成装置１において予め選択されている１枚の画像のみを表示してもよい。なお、画像取得用ページには、編集画像のみが一覧表示されることが好ましいが、例えば、編集画像の生成されていない撮影画像が存在する場合には編集画像と編集画像の生成されていない撮影画像とを一覧表示してもよいし、編集画像および撮影画像の全てを一覧表示してもよいし、特に限定されるものではない。
【０２０４】
携帯端末６は、画像取得用ページにおいて一覧表示されている画像のうち、ユーザにより選択された画像を管理サーバ４から取得し、記憶部６０２に保存する。なお、ユーザが有料会員である場合には、携帯端末６は、画像取得用ページにおいて一覧表示されている画像に対するユーザの選択操作を受け付けることなく、一覧表示されている全ての画像を管理サーバ４から取得し、記憶部６０２に保存してもよい。
【０２０５】
（写真シール作成装置における会員認証と広告表示）
本発明の実施形態１に係る写真シール作成装置１は、会員認証（図１４のＳ２００）に成功したユーザそれぞれの特性に応じた広告を、事後接客部１３のタブレット内蔵モニタ１６１に表示する。ユーザ（会員ユーザ）の特性は、管理サーバ４の会員データベース４２２に格納されている、会員ユーザそれぞれの会員情報（ユーザ特定情報および会員属性の少なくともいずれか）から特定または推定される。ユーザの特性とは、例えば、ユーザの年齢、性別、趣味、嗜好、住所、学校、職業、行動パターン（写真シール作成装置１の操作履歴、使用した合成用画像の種類）などである。
【０２０６】
以下、写真シール作成装置１における会員認証と、会員認証後に事後接客部１３にて、タブレット内蔵モニタ１６１に各ユーザ向けの広告を表示する方法とを、図１８〜図２１を用いて説明する。まず、図１８および図１９を用いて、会員データベース４２２が格納する会員情報４２２Ａと、広告データベース４２５が格納する広告関連情報４２５Ａについて詳細に説明する。
【０２０７】
≪会員情報のデータ構造≫
図１８は、会員情報４２２Ａのデータ構造および具体例を示す図である。会員情報４２２Ａの１行は、会員ユーザ１名に関する各種情報を示している。また、会員情報４２２Ａは、「会員ＩＤ」列の情報に、他の列の情報が対応づけられて格納される。
【０２０８】
なお、図１８において、会員情報４２２Ａをテーブル形式のデータ構造にて示したことは一例であって、会員情報４２２Ａのデータ構造をテーブル形式に限定する意図はない。以降、データ構造を説明するためのその他の図においても同様である。
【０２０９】
「会員ＩＤ」列には、画像提供サイトのユーザを一意に示す会員ＩＤが格納される。つまり、会員ＩＤは、図１８に示す会員情報４２２Ａの各行が示すユーザの識別情報である。「パスワード」列、「ニックネーム」列、「メールアドレス」列、「生年月日」列、および「住所」列には、会員登録時にユーザが入力した、または会員登録後にユーザが変更したパスワード、ニックネーム、メールアドレス、生年月日、および住所を示す情報が、それぞれ格納される。
【０２１０】
「会員属性」列には、各会員ユーザの特性を示す情報が格納される。「会員属性」列は、例えば、「会員種別」列と、「利用頻度」列とを含む。「会員種別」列には、ユーザの会員種別を示す情報が格納される。図１８に示す具体例では、「会員種別」列において、ユーザが有料会員（「有料」）であるか無料会員（「無料」）であるかを示す情報が格納されている。
【０２１１】
「利用頻度」列には、ユーザが画像提供サイトを利用する頻度（利用頻度）を示す情報が格納される。図１８に示す具体例では、上記利用頻度は、特定の期間内にユーザが画像提供サイトを利用した（ログインした）回数が一定数以上の場合、利用頻度が高い（「高」）ことを示す情報を格納し、上記回数が一定数未満の場合、利用頻度が低い（「低」）ことを示す情報を格納する。
【０２１２】
なお、会員情報４２２Ａは、少なくとも、ユーザを一意に特定可能な情報、またはユーザを一意に特定可能な情報の組合せを備えていればよく、その他のデータは必須ではない。しかしながら、会員情報４２２Ａは、ユーザ個々人の特性をより詳細に記憶するために、ユーザの特性を示す各種情報（特に、会員属性）をより多く含むことが望ましい。例えば、会員情報４２２Ａは、必要に応じて、会員属性としてユーザの趣味などを含んでいてもよい。
【０２１３】
≪広告関連情報の構成≫
図１９は、広告関連情報４２５Ａのデータ構造および具体例を示す図である。図１９において、広告関連情報のデータテーブルの１行は、１件の広告データに関する一連の情報を示す。また、広告関連情報４２５Ａは、「広告ＩＤ」列の情報に、他の列の情報が対応づけられて格納される。
【０２１４】
「広告ＩＤ」列には、各広告を一意に示すＩＤナンバーが格納される。なお、当該ＩＤナンバーの形式は特に限定されない。「データ」列には、管理サーバ４が広告データベース４２５から読み出す、１件分の一連の広告データの格納場所を示す情報が格納される。なお、広告データはタブレット内蔵モニタ１６１が表示できるならばその形式は特に限定されない。また、広告データは、画像（静止画）でも動画でもよい。
【０２１５】
「条件１」および「条件２」列には、表示広告決定部４１６が、写真シール作成装置１に送信する広告を決定するための条件を示す情報が格納される。
【０２１６】
ここで、「条件１」および「条件２」列が示す条件は、前述した会員情報４２２Ａの各パラメータと対応している。例えば、図１９によると、広告ＩＤ：００１が示す広告データの「条件１」列には、「利用頻度：低」である。これは、広告ＩＤ：００１が示す広告データが、会員情報４２２Ａの「利用頻度」列が示す画像提供サイトの利用頻度が「低」である場合に表示広告決定部４１６に選択されることを意味する。
【０２１７】
同様に、広告ＩＤ：００２が示す広告データは、会員情報４２２Ａの「会員種別」列が「無料」である（すなわち、ユーザが無料会員である）場合に表示広告決定部４１６に選択される。
【０２１８】
また、複数列（図１９の例では「条件１」および「条件２」列）にそれぞれ条件が示されている場合、これら複数の条件のいずれかを満たすことを表示条件としてもよいし、当該複数の条件を全て満たすことを表示条件としてもよい。
【０２１９】
例えば、広告ＩＤ：００３が示す広告データは、ユーザが無料会員である、または会員ユーザの住所が東京都内である場合に表示広告決定部４１６に選択されてもよいし、ユーザが無料会員であり、かつユーザの住所が東京都内である場合に表示広告決定部４１６に選択されてもよい。なお、以下では、図１９で「条件１」および「条件２」列の両方に条件が示されている場合、これらの条件を全て満たすことが表示条件であるとして説明する。
【０２２０】
なお、「条件１」および「条件２」列の情報は必須ではない。例えば、図１９では、「条件１」および「条件２」にてハイフン（−）が記載されている箇所は、情報が格納されていない（特に条件が規定されていない）ことを示す。また、図１９では管理サーバ４が１つまたは２つの条件により表示広告を決定することとしたが、これらの条件の数も特に限定されない。したがって、広告関連情報４２５Ａは、「条件１」および「条件２」列以降も列を持ち、各広告データについてさらに細かい表示条件を設けていてもよい。
≪会員認証および広告表示の概要≫
次に、図２０を参照して、写真シール作成装置１における会員認証および広告表示の概略を説明する。図２０は、本発明の第１実施形態における写真シール作成装置１が、ユーザに応じた広告を表示するときの具体例を示す図である。図２０の（ａ）は、編集部１２にてユーザが行う、会員認証のための操作（動作）を示す。また、図２０の（ｂ）は、図２０の（ａ）に示したユーザの操作による会員認証が成功した場合、事後接客部１３のタブレット内蔵モニタ１６１に表示される広告αおよびβを示す。
【０２２１】
なお、図２０の（ａ）に示すユーザＡは、図１８に示した会員情報において、会員ＩＤ：Ａ００１で示されるユーザであるとする。また、ユーザＢは、図１８に示した会員情報４２２Ａにおいて、会員ＩＤ：Ａ００２で示されるユーザであるとする。加えて、ユーザＡの所持する携帯端末６を便宜上、携帯端末６Ａとし、ユーザＢの所持する携帯端末６を携帯端末６Ｂとする。
【０２２２】
また、以降の説明では、ユーザＡとユーザＢがグループで、写真シール作成装置１における写真シール作成ゲームを行うこととする。なお、ここで言う「グループ」は、写真シール作成装置１で一緒に（同じゲーム内で）写真を撮るユーザ１名以上の集団を示す。
【０２２３】
図２０の（ａ）に示す通り、写真シール作成装置１は、編集部１２において、タブレット内蔵モニタ１３１の左下側に非接触型ＩＣリーダ／ライタ９５Ａ、右下側に非接触型ＩＣリーダ／ライタ９５Ｂを備える。図示の通り、ユーザＡが携帯端末６Ａ（非接触型ＩＣ６１４）を非接触型ＩＣリーダ／ライタ９５Ａに近接させると、非接触型ＩＣリーダ／ライタ９５Ａは携帯端末６Ａ（非接触型ＩＣ６１４）の近接を検知し、携帯端末６Ａから認証情報を読み取り、認証制御部３１６に送る。認証制御部３１６は、上記認証情報を用いて会員認証を行う。そして、会員認証が成功すると、認証制御部３１６は、ＲＡＭ２０７にユーザＡの識別情報として、会員ＩＤ（Ａ００１）を記憶する。
【０２２４】
ユーザＢについても、ユーザＢが携帯端末６Ｂを非接触型ＩＣリーダ／ライタ９５Ｂに近接させることにより、ユーザＡと同様の会員認証が行われる。そして、認証制御部３１６は、ＲＡＭ２０７にユーザＢの識別情報として、会員ＩＤ（Ａ００２）を記憶する。
【０２２５】
なお、図２０の（ａ）では便宜上、ユーザＡおよびユーザＢの会員認証に係る動作を一図で示しているが、ユーザＡおよびユーザＢの会員認証は同時に行われなくともよい。また、ユーザＡとユーザＢは同じ非接触型ＩＣリーダ／ライタで順番に会員認証を行ってもよい。
【０２２６】
このようにして、グループの各ユーザによる会員認証の操作が行われ、その後、写真シール作成ゲームの工程として、ユーザによる編集制御（落書き）（図１４のＳ４）がなされ、その後シールの印刷処理（図１４のＳ４）が行われる。ここで、印刷処理（図１４のＳ５）が始まると、事後接客制御部３１５はタブレット内蔵モニタ１６１を制御することにより、事後接客を行う。
【０２２７】
このとき、事後接客制御部３１５はＲＡＭ２０７が記憶しているユーザＡおよびユーザＢの会員ＩＤを管理サーバ４へと送信する。管理サーバ４の表示広告決定部４１６は、受信したユーザＡおよびユーザＢの会員ＩＤに対応する会員情報を特定し、当該会員情報が示す特性に応じた広告を、そのユーザ向けの表示広告と決定する。
【０２２８】
例えば、図１８の会員情報４２２Ａによると、ユーザＡは東京在住の有料会員である。このようなユーザＡの特性に応じて、管理サーバ４の表示広告決定部４１６は、「東京で開催する、有料会員限定イベント」の広告αを写真シール作成装置１の事後接客制御部３１５に送信する。
【０２２９】
一方、図１８の会員情報４２２Ａによると、ユーザＢもユーザＡと同様、東京在住ではあるが、無料会員のユーザであり、かつ画像提供サイトの利用頻度が低い。このように、画像提供サイトの利用に不慣れと推定されるユーザＢに応じて、表示広告決定部４１６は、「画像提供サイトへの画像の保存手順」を示す広告βを事後接客制御部３１５に送信する。
【０２３０】
そして、事後接客制御部３１５は、表示広告決定部４１６から受信した広告αおよびβをタブレット内蔵モニタ１６１に表示させる。すなわち、タブレット内蔵モニタ１６１には、図２０の（ｂ）に示すように、ユーザＡおよびユーザＢそれぞれの特性に応じた広告が表示される。
【０２３１】
このように、写真シール作成装置１は、会員認証が成功したユーザそれぞれの特性に応じた広告を、タブレット内蔵モニタ１６１に表示させる。つまり、写真シール作成装置１の各ユーザに対して、適切な広告を提示することができる。
【０２３２】
なお、図２０の例では、タブレット内蔵モニタ１６１の表示画面をユーザの数（２名）で分割し、分割した領域それぞれに広告αとβとを表示することとした。しかしながら、写真シール作成装置１の広告の表示方法はこれに限られない。例えば、事後接客制御部３１５は、受信した広告αおよびβを、タブレット内蔵モニタ１６１の表示画面に交互に表示させることとしてもよい。
【０２３３】
また、写真シール作成装置１は、会員認証が成功したユーザの会員情報を管理サーバ４から取得し、記憶部２０２などで記憶しておいてもよい。さらに、この場合、広告画面作成部３１５Ｂは広告画面のデータを作成する際に、各広告データに、当該広告データに対応するユーザの名前（ニックネーム）などを併せて表示してもよい。また、写真シール作成装置１の事後接客制御部３１５は、会員情報としてユーザの画像（顔写真等）を含む場合は、広告データと当該ユーザの画像とを合成し、それをタブレット内蔵モニタ１６１に表示してもよい。例えば、事後接客制御部３１５は、広告データに含まれる商品の画像と、会員情報から取得したユーザの画像とを合成し、ユーザが商品を使用しているかのような画像を作成し、広告としてタブレット内蔵モニタ１６１に表示させてもよい。
【０２３４】
また、事後接客制御部３１５は、管理サーバ４からユーザの会員情報を取得する場合、有料会員のユーザに向けた広告に、当該有料会員の利益になる情報を追加してもよい。例えば、管理サーバ４は、ユーザが有料会員の場合は、提示する広告（広告データ）と、当該広告が紹介する商品（またはサービス）等の割引クーポンの表示に係るデータとを写真シール作成装置１に送信してもよい。また、写真シール作成装置１の事後接客制御部３１５は、受信した広告データとともに、上記クーポンをタブレット内蔵モニタ１６１に表示させてもよい。そして、ユーザによりタブレット内蔵モニタ１６１で広告が表示されている領域がタップされた場合、管理サーバ４は、上記クーポンを会員情報が示すユーザのメールアドレス宛てに送信してもよい。
【０２３５】
なお、管理サーバ４は、ユーザが無料会員の場合は、上述したように、広告に関連するクーポンが存在する広告データであっても、当該クーポンの表示に係る情報を写真シール作成装置１に送信しない（または、写真シール作成装置１にてタブレット内蔵モニタ１６１に表示しない）こととしてもよい。
【０２３６】
これにより、管理サーバ４は、有料会員にのみ特典を与えることができる。したがって、管理サーバ４は、無料会員に、有料会員となる動機付けをすることができる。
【０２３７】
（会員認証処理）
次に、携帯端末６、写真シール作成装置１、および管理サーバ４の間で行われる会員認証処理（図１４のＳ２００）についてより詳しく説明する。
【０２３８】
撮影空間Ａ１における写真撮影（図１４のＳ２）が終了すると、撮影制御部３１２はユーザに、編集空間Ａ２−１またはＡ２−２への移動の案内を行うとともに、認証制御部３１６に対し会員認証の開始を通知する。認証制御部３１６は通知を受けると、非接触型ＩＣリーダ／ライタ９５Ａおよび非接触型ＩＣリーダ／ライタ９５Ｂを起動（通信待機）させる。ここで、ユーザの携帯端末６（非接触型ＩＣ６１４）が非接触型ＩＣリーダ／ライタ９５Ａまたは９５Ｂに近接すると、非接触型ＩＣリーダ／ライタ９５Ａまたは９５Ｂは、非接触型ＩＣ６１４と通信を開始する。なお、非接触通信の通信規格は、従来ある規格を用いればよい。
【０２３９】
非接触型ＩＣリーダ／ライタ９５Ａまたは９５Ｂは、非接触型ＩＣ６１４に携帯端末６のユーザの認証情報（例えば、会員ＩＤおよびパスワード）を要求する。当該要求を受けて、非接触型ＩＣ６１４は、制御部６０１を介し、記憶部６０２から携帯端末６のユーザの認証情報を読み出し、非接触型ＩＣリーダ／ライタ９５Ａまたは９５Ｂに送信する。
【０２４０】
非接触型ＩＣリーダ／ライタ９５Ａまたは９５Ｂは、非接触型ＩＣ６１４から認証情報を受信すると、これらを制御部２０１の認証制御部３１６へ送信する。認証制御部３１６は、非接触型ＩＣリーダ／ライタ９５Ａまたは９５Ｂから受信した認証情報を管理サーバ４に送信するとともに、管理サーバ４に会員認証の要求を送信する。
【０２４１】
管理サーバ４の認証部４１５は、通信部４０３および通信制御部４１１を介し、上記会員認証の要求と、認証情報とを受信する。そして、認証部４１５は、受信した認証情報を、会員データベース４２２の会員情報４２２Ａと照合することによって、上記認証情報が示すユーザが画像提供サイトの会員か否かを判定する。上記認証情報が会員情報４２２Ａに登録されている場合、認証部４１５は、写真シール作成装置１に対し、会員認証が成功した旨を通知する。一方、上記認証情報が会員情報４２２Ａに登録されていない場合、認証部４１５は写真シール作成装置１に対し、会員認証が失敗した旨を通知する。
【０２４２】
認証制御部３１６は、管理サーバ４の認証部４１５から会員認証の結果を受信する。会員認証が成功した場合、認証制御部３１６は、会員認証が成功したユーザの識別情報（会員ＩＤ）を、ＲＡＭ２０７に格納する。そして、認証制御部３１６は、タブレット内蔵モニタ１３１に、当該ユーザの会員認証が成功した旨を示す画面を表示させる。なお、認証制御部３１６は、上記ユーザ向けの広告が、後の事後接客部１３のタブレット内蔵モニタ１６１のどこに（どの領域に）表示されるのかを画面または音声によりユーザに通知してもよい。
【０２４３】
なお、本実施形態では、ユーザ認証において、編集部１２の非接触型ＩＣリーダ／ライタ９５Ａおよび９５Ｂの少なくともいずれかが非接触型ＩＣ６１４と通信を行うこととした。しかしながら、これに限られず、本実施形態に係る写真シール作成装置１は、撮影部２１の非接触型ＩＣリーダ／ライタ９４Ａおよび９４Ｂ、ならびに事後接客部１３の非接触型ＩＣリーダ／ライタ１６３の少なくともいずれかを用いてユーザ認証を行ってもよい。
【０２４４】
さらに、上述の説明では、非接触通信（非接触型ＩＣおよび非接触型ＩＣリーダ／ライタ）を用いてユーザ認証を行うこととしたが、本実施形態において、写真シール作成装置１と携帯端末６との間の通信は、写真シール作成装置１が携帯端末６から認証情報を受信できる方法でありさえすればよく、その通信方法は特に限定されない。
【０２４５】
写真シール作成装置１は、上述の会員認証を、写真シール作成装置１を利用する１グループに対し行う。より詳しくは、写真シール作成装置１は、会員認証を所定の期間受け付け、所定の期間内に会員認証により得た識別情報を、１グループのユーザそれぞれの会員認証の結果であるとしてＲＡＭ２０７に格納する。
【０２４６】
ここで、「所定の期間」とは、グループ内のいずれかのユーザが会員認証を開始（非接触通信を開始）してから、当該グループの各ユーザが会員認証を終了することができる程度の時間、または、ユーザにより、写真シール作成装置１にグループ単位での会員認証の開始が指示されてから、当該グループ単位での会員認証の終了、またはゲームの次工程の開始が指示されるまでの期間を示す。
【０２４７】
以上の会員認証に係る処理の結果、写真シール作成装置１は、携帯端末６のユーザが画像提供サイトの会員であるか否かを特定することができる。また、写真シール作成装置１は、会員認証に成功したユーザの識別情報をグループ単位で、写真シール作成装置１のＲＡＭ２０７に格納する。
【０２４８】
なお、本実施形態に係る写真シール作成装置１は、管理サーバ４とリアルタイムに通信を行うのではなく、管理サーバ４から認証に必要な情報を予めダウンロードしておいてもよい。そして、写真シール作成装置１は、認証制御部３１６が認証情報をした場合、上記ダウンロードしておいた情報を用いて、写真シール作成装置１内で会員認証を行ってもよい。
【０２４９】
具体的には、写真シール作成装置１は、例えば通信負荷が比較的少ない午前中や夜間などに管理サーバ４と通信を行い、各ユーザの会員情報４２２Ａを管理サーバ４からダウンロードし記憶部２０２に格納しておく。
【０２５０】
この状態で、認証制御部３１６が非接触型ＩＣリーダ／ライタ９５Ａまたは９５Ｂ等から認証情報を取得すると、認証制御部３１６は、当該認証情報と、ダウンロードしておいた会員情報４２２Ａとを照合することによって、上記認証情報が示すユーザが画像提供サイトの会員か否かを判定する。そして、認証制御部３１６は、会員認証が成功した場合（認証情報が示すユーザが会員であった場合）、当該ユーザの識別情報をＲＡＭ２０７に格納する。
【０２５１】
上記構成によると、写真シール作成装置１は、写真シール作成ゲームの１プレイごとに（１グループの会員認証ごとに）管理サーバ４と通信する必要が無くなる。したがって、管理サーバ４との通信頻度を抑えることができる。また、上記構成によると、ユーザが写真シール作成ゲームをプレイしている時に、通信トラブルにより会員認証の終了まで長時間待たされる事態や、ユーザ認証が異常終了するような事態を避けることができる。
【０２５２】
（表示広告決定部４１６の広告の決定方法）
最後に、管理サーバ４における、表示広告の決定処理の流れを、図２１を用いて詳述する。図２１は、写真シール作成装置１が広告を表示する処理の流れの一例を示すシーケンス図である。
【０２５３】
写真シール作成装置１の事後接客制御部３１５において、写真シール作成ゲームにおける事後接客処理の制御が開始すると、広告データ取得部３１５Ａは、ＲＡＭ２０７から、会員認証に成功したユーザの識別情報をグループ単位で読み出し、当該識別情報をユーザ１名分ずつ管理サーバ４に送信する（ステップＳ５００）。
【０２５４】
管理サーバ４の表示広告決定部４１６は、当該識別情報を受信すると（ステップＳ５０２）、まず、識別情報をキーとして、会員データベース４２２を検索することにより、会員データベース４２２から識別情報が示すユーザの会員情報を読み出す（ステップＳ５０３）。次に、表示広告決定部４１６は、広告関連情報４２５Ａを検索し、取得した会員情報が示すユーザの特性のいずれかと条件（例えば、「条件１」および「条件２」列に規定された条件）が合致する広告を特定する（ステップＳ５０４）。そして、表示広告決定部４１６は、当該広告関連情報４２５Ａが示す広告データ（図１９において「データ」列で示されるデータ）を広告データベース４２５から読み出し、写真シール作成装置１へと送信し（ステップＳ５０６）、写真シール作成装置１の広告データ取得部３１５Ａは、上記広告データを受信する（ステップＳ５０８）。
【０２５５】
ここで、広告データ取得部３１５Ａは、グループ単位で読み出した識別情報全てに応じた広告データを管理サーバ４から受信したか否かを確認する。換言すると、広告データ取得部３１５Ａは、１グループ内で、会員認証が成功したユーザ全員分に対応する広告データを取得したか否かを確認する（ステップＳ５１０）。まだ対応する広告を取得していない識別情報（ユーザ）が有る場合（ステップＳ５１０でＮＯ）、広告データ取得部３１５ＡはステップＳ５００に戻り、当該識別情報を管理サーバ４へと送信する。また、管理サーバ４も、上記識別情報が示すユーザの特性に応じた広告データを特定し、写真シール作成装置１に送信する（ステップＳ５０２〜Ｓ５０６）。
【０２５６】
一方、広告データ取得部３１５Ａは、グループ単位で読み出した識別情報全てに応じた広告データを得られた場合（ステップＳ５１０でＹＥＳ）、取得した広告データを広告画面作成部３１５Ｂに送信する。広告画面作成部３１５Ｂは、広告データ取得部３１５Ａから受信した広告データの数に応じて広告レイアウトデータ２０２Ａを読み出す（ステップＳ５１２）。そして、広告画面作成部３１５Ｂは、読み出した広告レイアウトデータ２０２Ａに、広告データ取得部３１５Ａから受信した広告データを合成することにより、広告画面を作成する（ステップＳ５１４）。最後に、事後接客用モニタ制御部３１５Ｃが、広告画面作成部３１５Ｂから受信した広告画面をタブレット内蔵モニタ１６１に表示させる（ステップＳ５１６）。
【０２５７】
以上の処理により、写真シール作成装置１は、ＲＡＭ２０７に格納された識別情報、すなわち会員認証に成功したユーザそれぞれの特性に応じた広告をタブレット内蔵モニタ１６１に表示させることができる。また、写真シール作成装置１は、ＲＡＭ２０７において、１グループとして格納した識別情報の数、すなわち、１グループ（１回のゲーム）内で会員認証に成功したユーザの数に応じて、表示する広告の数および表示レイアウト（表示画面上の配置位置、配置領域を定める情報）を決定することができる。したがって、写真シール作成装置１は、１回の写真シール作成ゲームに参加したユーザそれぞれに向けて、それぞれの特性に応じた広告を提示することができる。
【０２５８】
なお、広告データ取得部３１５Ａは、グループ内の全てのユーザの識別情報を一度に管理サーバ４に送信し、後述のステップＳ５０２〜Ｓ５０６の処理を行わせてもよい。この場合、広告データ取得部３１５ＡはＳ５１０の処理を行わなくてもよい。
【０２５９】
また、本実施形態に係る写真シール作成装置１は、ユーザの特性に応じた内容のアンケート、または所定の商品もしくはサービス等の抽選への応募画面のデータ、またはクーポン等を管理サーバ４から取得し、これをタブレット内蔵モニタ１６１に表示してもよい。この場合、管理サーバ４の表示広告決定部４１６は、広告データの代わりに（または広告データと共に）、写真シール作成装置１に表示させるアンケート、応募画面のデータ、またはクーポン等を決定し、写真シール作成装置１に送信すればよい。
【０２６０】
なお、写真シール作成装置１は、タブレット内蔵モニタ１６１にクーポンを表示する場合、モニタに、広告主などの認証（特典を付与して良いかの認証）のＱＲコード（登録商標）を表示し、ユーザが携帯端末６等で上記ＱＲコード（登録商標）を読み取ることにより、広告主等から特典をもらえるようにしてもよい。
【０２６１】
さらに、タブレット内蔵モニタ１６１にアンケートまたは応募画面が表示された状態で、ユーザにより、タブレット内蔵モニタ１６１の所定領域がタップされる、あるいはタブレット内蔵モニタ１６１に表示された所定のボタン等が押下されると、事後接客制御部３１５は、当該アンケートまたは応募画面等に対するユーザの選択および入力操作を可能としてもよい。そして、事後接客制御部３１５は上記選択および入力の結果（すなわち、アンケートの回答や応募に必要な情報など）を取得し、管理サーバ４、または上記アンケートおよび上記応募画面の広告主に送信する。
【０２６２】
また、上述のアンケートおよび応募広告でない、通常の広告においても、タブレット内蔵モニタ１６１の所定の領域（広告が表示されている領域）をタップすることで、ユーザがその広告に関心を示したことを、当該広告の広告主へ通知してもよい。
【０２６３】
さらに、写真シール作成装置１は、上述のように広告を表示しているタブレット内蔵モニタ１６１の所定の領域がタップされたとき、管理サーバ４にタップされた広告の種類（広告データに付された広告ＩＤなど）と、その広告を取得するために用いたユーザ特定情報（その広告を提示する対象のユーザ）を送信してもよい。そして、管理サーバ４は、会員情報を参照し、受信したユーザ特定情報が示すユーザのメールアドレス宛てに詳細広告や問合せ先（広告主への問合せ）の情報を含むメールを送信してもよい。
【０２６４】
また、写真シール作成装置１が会員認証に成功したユーザの会員情報を管理サーバ４から受信し記憶しておく場合、写真シール作成装置１は、上述のように広告を表示しているタブレット内蔵モニタ１６１の所定の領域がタップされた時、ユーザの会員情報から当該ユーザのメールアドレスを特定し、当該メールアドレス宛てに詳細広告や問合せ先の情報を含むメールを送信してもよい。
【０２６５】
また、管理サーバ４は、各ユーザの会員情報４２２Ａに広告データの送信履歴を含んでいてもよい。具体的には、各ユーザの会員情報４２２Ａに、写真シール作成装置１に送信した（すなわち、ユーザ向けに提示した）広告データの広告ＩＤと、当該広告データの送信時刻とを記録してもよい。そして、表示広告決定部４１６は、所定期間内に写真シール作成装置１に送信した、すなわち、所定期間内にユーザ向けに提示した広告データについては、写真シール作成装置１に送信する（表示させる）対象から外してもよい。
【０２６６】
例えば、表示広告決定部４１６は、ユーザの会員情報を読み出したとき、当該会員情報のうち広告データの送信履歴を参照し、送信時刻が現在時刻から所定時間内である広告（以降、既表示広告と称する）があるか否かを判定する。そして、表示広告決定部４１６は、既表示広告がある場合は既表示広告の広告ＩＤを特定する。
【０２６７】
次に、表示広告決定部４１６は、広告関連情報４２５Ａを検索し、会員情報が示すユーザの特性のいずれかと条件が合致する広告を特定する。このとき、既表示広告（既表示広告の広告ＩＤが示す広告関連情報４２５Ａ）は検索から除外する。すなわち、現在時刻から所定時間内に一度送信している広告は、検索の対象から除外する。以降、表示広告決定部４１６は上述した通り、ユーザの特性に合致する広告を特定し、写真シール作成装置１へと送信する。
【０２６８】
以上の処理により、管理サーバ４は、短期間に、同一ユーザに向けた同一広告を写真シール作成装置１に送信することを防ぐことができる。換言すると、管理サーバ４は、同じユーザに短期間に何度も同じ広告を見せることを防止できる。
【０２６９】
さらに、管理サーバ４は、各ユーザの会員情報４２２Ａとして、写真シール作成装置１に送信した広告データの詳細広告を携帯端末６に送信したか否かを示す情報も記録していてもよい。そして、表示広告決定部４１６は、所定期間内に携帯端末６に詳細広告を送信した広告（詳細送信済広告）のデータについては、写真シール作成装置１に表示させる対象から外してもよい。
【０２７０】
例えば、表示広告決定部４１６は、会員情報を読み出したとき、当該会員情報のうち広告データの送信履歴を参照し、詳細送信済広告の広告ＩＤを特定する。そして、表示広告決定部４１６は、広告関連情報４２５Ａを検索する際に、上記詳細送信済広告が示す広告関連情報４２５Ａは検索から除外してもよい。
（実施形態１の変形例）
≪１：会員認証した位置に応じて、広告表示位置を変更する場合≫
本発明に係る写真シール作成装置１は、写真シール作成装置１上でユーザが会員認証の操作を行った位置（例えば、非接触型ＩＣリーダ／ライタの設置位置）に応じて、タブレット内蔵モニタ１６１の表示画面の表示レイアウト（各ユーザに対応した広告データの配置）を決定してもよい。
【０２７１】
この場合、非接触型ＩＣリーダ／ライタ９４Ａ、９４Ｂ、９５Ａ、９５Ｂ、および１６３は、携帯端末６の非接触型ＩＣ６１４から受信した認証情報を認証制御部３１６（認証位置取得手段）に送信するときに、当該認証情報とともに認証位置情報を送信する。
【０２７２】
ここで、認証位置情報とは、ユーザが会員認証に係る操作を行った、写真シール作成装置１上の位置を示す情報である。認証位置情報としては、例えば、ユーザが非接触通信を行った非接触型ＩＣリーダ／ライタを識別する（非接触型ＩＣリーダ／ライタの設置位置を識別する）情報などを用いることができる。
【０２７３】
また、会員認証の方法として、例えばカメラ９１またはサブカメラ等を用いた画像認識（二次元コード読み取りなど）を用いる場合は、当該カメラ９１の撮影範囲における認識対象物の位置座標を認証位置情報とすればよい。もしくは、上記撮影範囲を所定の領域に区切り、認識対象（二次元コードやユーザの顔、指紋など）が、上記所定の領域のいずれに含まれているかを示す情報を認証位置情報とすればよい。
【０２７４】
また、タッチパネルモニタ９３、タブレット内蔵モニタ１３１または１６１等でユーザが直接入力した情報（会員ＩＤ、メールアドレス、およびパスワードなど）を認証情報として会員認証を行う場合は、上記認証情報を入力した位置（上記認証情報の入力フォームの位置等）からユーザの位置を特定し、認証位置情報としてもよい。
【０２７５】
そして、認証制御部３１６は、管理サーバ４にて会員認証が成功した場合、識別情報に、上記非接触型ＩＣリーダ／ライタから受信した認証位置情報を紐付けて、ＲＡＭ２０７に格納する。
【０２７６】
また、広告データ取得部３１５Ａは、管理サーバ４から広告データを受信すると、当該広告データを要求する際に管理サーバ４に送信した識別情報、すなわち、広告データが示す広告の提示対象となるユーザの識別情報を特定する。広告データ取得部３１５Ａはさらに、当該識別情報に対応する認証位置情報を特定し、上記広告データと、特定した認証位置情報とを対応づけて、広告画面作成部３１５Ｂに送信する。
【０２７７】
広告画面作成部３１５Ｂは、広告データ取得部３１５Ａから広告データおよび認証位置情報を受信する。広告画面作成部３１５Ｂは、広告データを広告レイアウトデータ２０２Ａに合成するときに、広告データを認証位置情報に対応する位置に配置する。例えば、広告画面作成部３１５Ｂは、広告画面上での各広告データの位置関係が、各広告データに対応する認証位置情報が示す位置関係に対応するように、各広告データを配置する。
【０２７８】
このとき、広告データに関連付けて、例えば「詳細資料希望」などのボタンを配置してもよい。そして、タブレット内蔵モニタ１６１上で当該ボタンの領域がタップまたは押下された場合、タブレット内蔵モニタ１６１に更に詳細広告を表示してもよい。
【０２７９】
また、写真シール作成装置１が会員認証に成功したユーザの会員情報を管理サーバ４から受信し記憶しておく場合、写真シール作成装置１は、上述のように「詳細資料希望」のボタンがタップまたは押下された場合、ユーザの会員情報から当該ユーザのメールアドレスを特定し、当該メールアドレス宛てに詳細広告や問合せ先（広告主への問合せ）の情報を含むメールを送信してもよい。
【０２８０】
以下、認証位置情報を利用して各広告の配置を決定する方法について、図２０を再び参照し、具体的に説明する。図２０の（ａ）に示したように、編集部１２において、ユーザＡがタブレット内蔵モニタ１３１の左下側の非接触型ＩＣリーダ／ライタ９５Ａで会員認証を行い、ユーザＢがタブレット内蔵モニタ１３１の右下側の非接触型ＩＣリーダ／ライタ９５Ｂで会員認証を行ったとする。この場合、ユーザＡの会員認証が成功すると、ユーザＡの識別情報と共に、ユーザＡの会員認証が非接触型ＩＣリーダ／ライタ９５Ａで行われたことを示す情報（認証位置情報）が、ユーザＡの識別情報と紐付けられた状態で、ＲＡＭ２０７に記憶される。
【０２８１】
ユーザＢについても同様に、会員認証が成功すると、当該会員認証が非接触型ＩＣリーダ／ライタ９５Ｂで行われたことを示す情報が、ユーザＢの識別情報と紐付けられた状態で、ＲＡＭ２０７に記憶される。
【０２８２】
そして、ユーザによる編集制御が終わり、写真シール作成装置１において事後接客処理を行う段階になると、事後接客制御部３１５の広告データ取得部３１５Ａは、管理サーバ４からユーザＡおよびＢの特性に合致する広告を取得する。このとき、広告データ取得部３１５Ａは、ＲＡＭ２０７から、ユーザＡおよびＢの識別情報に加え、当該識別情報に紐づく認証位置情報を読み出し、広告データと対応づけて広告画面作成部３１５Ｂへと送信する。
【０２８３】
広告画面作成部３１５Ｂは、ユーザＡおよびユーザＢにそれぞれ対応する広告データを受信すると、受信した広告データの数（会員認証に成功したユーザの人数：２名）の分だけ表示枠が存在する広告レイアウトデータ（例えば、表示画面を２分割するような広告枠となっている広告レイアウトデータ）を、広告レイアウトデータ２０２Ａから読み出す。そして、広告画面作成部３１５Ｂは、ユーザＡおよびユーザＢに対する広告データをそれぞれ広告レイアウトデータ２０２Ａに合成する。
【０２８４】
このとき、広告画面作成部３１５Ｂは、ユーザＡおよびユーザＢの認証位置情報を参照し、広告データの配置を決定する。具体的には、タブレット内蔵モニタ１３１の左（左下側：非接触型ＩＣリーダ／ライタ９５Ａ）にて認証を行ったユーザＡに対応する広告データは、広告レイアウトデータ２０２Ａにおいて左側の領域に配置する。また、タブレット内蔵モニタ１３１の右（右下側：非接触型ＩＣリーダ／ライタ９５Ｂ）にて認証を行ったユーザＢに対応する広告データは、広告レイアウトデータ２０２Ａにおいて右側の領域に配置する。
【０２８５】
このように合成され出来上がった広告画面のデータは、事後接客用モニタ制御部３１５Ｃにより、タブレット内蔵モニタ１６１に表示される。したがって、タブレット内蔵モニタ１６１の表示画面の左側には、ユーザＡの特性に合致した広告が表示される。また、タブレット内蔵モニタ１６１の表示面の右側には、ユーザＢの特性に合致した広告が表示される。
【０２８６】
ここで、「ユーザＡおよびＢが会員認証を行った位置」は、事後接客のときに、ユーザＡおよびＢがタブレット内蔵モニタ１６１を見る場合の、ユーザＡおよびＢそれぞれの立ち位置に近いと推定できる。つまり、タブレット内蔵モニタ１３１の左側で会員認証の操作を行ったユーザＡは、編集空間Ａ２−１（またはＡ２−２）から事後接客空間Ａ３に移動した場合も、事後接客空間Ａ３において左側に位置している可能性が高い。同様に、タブレット内蔵モニタ１３１の右側で会員認証の操作を行ったユーザＢは、事後接客空間Ａ３でも右側に位置している可能性が高い。
【０２８７】
このように、１つのグループが、撮影空間Ａ１から編集空間Ａ２−１またはＡ２−２へ、さらに事後接客空間Ａ３へと移動しても（図５）、グループ内の各ユーザの立ち位置は変わらない可能性が高い。そのため、本実施形態に係る写真シール作成装置１は、写真シール作成装置１上で上記会員ユーザが会員認証を行った位置に応じて、上記決定した広告の表示位置（表示レイアウト）を決定することにより、写真シール作成装置１のユーザそれぞれに対し、より適切な位置（ユーザが広告を見易い位置）に広告を表示することができるという効果を奏する。
【０２８８】
なお、上述のように詳細広告をユーザの携帯端末６に送付する場合、つまり、タブレット内蔵モニタ１６１に表示された広告または広告に対応するボタン等がタップされた場合、管理サーバ４は、認証位置情報を参照することにより、認証位置情報に対応するユーザ（ユーザの携帯端末６）にのみ上記詳細広告を送信してもよい。もしくは、管理サーバ４は、上述の場合でもユーザ全員に詳細広告を送信してもよい。
【０２８９】
なお、写真シール作成装置１は、認証に失敗したユーザ（認証失敗ユーザ）についても認証位置情報を取得し、当該ユーザの識別情報と紐付けてＲＡＭ２０７に格納していてもよい。そして、広告画面作成部３１５Ｂは、上記認証失敗ユーザの分の広告（例えば、全ユーザ共通の広告や、メールアドレス等を入力する画面など）と、認証に成功したユーザの広告とを表示可能な広告レイアウトデータを読み出し、タブレット内蔵モニタ１６１に表示する画面を作成してもよい。
【０２９０】
例えば、ユーザＡが画像提供サイトの会員であり、ユーザＢが画像提供サイトの非会員であり、上述のようにユーザＡおよびＢが会員認証を試みたとする。この場合、広告画面作成部３１５Ｂは、ユーザＡの特性に応じた広告を左に、メールアドレス等の入力操作を行う画面を右に配置した画面データを作成し、タブレット内蔵モニタ１６１は当該画面データを表示する。
【０２９１】
このように、管理サーバ４は、認証に成功したユーザと失敗したユーザとで異なる広告等を表示することができる。例えば、管理サーバ４は、会員認証に成功したユーザには広告を提示する一方、上記認証失敗ユーザには操作入力が要求することができる。これにより、管理サーバ４は認証失敗ユーザに、会員ユーザになったときの利点（ここでは、操作入力が要求されない）を見せることができる。そのため、管理サーバ４は、認証失敗ユーザ、すなわち非会員のユーザに、会員ユーザになる動機付けをすることができる。
【０２９２】
≪２：ユーザの特性に応じた広告メールを送信する場合≫
本実施形態に係る管理サーバ４はユーザの特性に応じた広告メールを作成し、ユーザに対し配信してもよい。ここで、「広告メール」とは、ユーザに対し、特定の商品、イベント、およびサービス等を推奨する情報を含むメールを示す。
【０２９３】
本変形例の場合、管理サーバ４の制御部４０１は、写真シール作成装置１から識別情報を受信すると（図２１のステップＳ５０２）、メール作成部４１２にて当該識別情報が示すユーザの会員情報４２２Ａを読み出す。次に、メール作成部４１２は、メールデータベース４２１からメール作成に必要な各種データを読み出し、会員情報４２２Ａが示すユーザの特性に応じた広告メールを作成する。そして、メール作成部４１２は、作成した広告メールを、読み出した会員情報４２２Ａが示すメールアドレス宛に送信する。
【０２９４】
なお、本変形例の場合、写真シール作成装置１は、タブレット内蔵モニタ１６１に広告を表示しなくてもよい。すなわち、表示広告決定部４１６における広告データの決定および送信は必須ではない。換言すると、図２１のステップＳ５０４以降の処理は、必ずしも行わなくてもよい。
【０２９５】
また、管理サーバ４は、図２１のステップＳ５０４までの処理を行い、表示広告決定部４１６が決定した広告データを、メール作成部４１２に送信してもよい。そして、メール作成部４１２は、受信した広告データと、メールデータベース４２１の各種データとから広告メールを作成してもよい。
【０２９６】
なお、メール作成部４１２は、広告メールの代わりに、会員情報が示すユーザの特性に応じたアンケート（または、アンケートサイトへのリンク）を含むメールを作成し送信してもよい。この場合、管理サーバ４は、会員情報が示すユーザの特性に応じた情報（アンケート）をユーザに提示できるだけでなく、さらにユーザから、提示したアンケートに対するレスポンスを得られるという利点がある。また、メール作成部４１２は、広告メールの代わりに、ユーザの特性に応じた商品、サービス、クーポン、イベントへの参加権等を景品とするプレゼント応募や抽選を案内するメールを作成し、送信してもよい。
【０２９７】
≪３：アプリケーションを用いて会員認証および広告表示する場合≫
本実施形態では、写真シール作成装置１は、自機の非接触型ＩＣリーダ／ライタ（９４Ａ、９４Ｂ、９５Ａ、９５Ｂなど）と、携帯端末６の非接触型ＩＣ６１４との非接触通信によって携帯端末６のユーザの識別情報を取得することとした。しかしながら、本発明に係る写真シール作成装置１および携帯端末６は、上記非接触通信以外の方法でユーザの識別情報を送受信してもよい。
【０２９８】
例えば、携帯端末６は、自機にインストールされた所定のアプリケーション（以降、認証アプリと称する）がユーザにより起動され、所定の操作が行われた場合に、写真シール作成装置１と通信し、ユーザの識別情報を送信してもよい。なお、上記通信の規格としては、例えば赤外線通信や、ＢｌｕｅＴｏｏｔｈ（登録商標）などが挙げられる。
【０２９９】
より具体的には、携帯端末６の制御部６０１は、ユーザにより認証アプリの起動および識別情報の送信指示（または会員認証の開始指示）がなされると、記憶部６０２に格納されたユーザの識別情報を読み出す。そして、制御部６０１は、認証アプリの１機能として、ユーザの識別情報を、通信制御部６１１および通信部６０３を介し写真シール作成装置１へと送信する。一方、写真シール作成装置１の認証制御部３１６は、通信部４０３および通信制御部４１１を介し上記識別情報を受信する。
【０３００】
さらに、本発明に係る管理サーバ４は、携帯端末６宛てに広告メールを送信する代わりに、携帯端末６にインストールされた所定のアプリケーション（以降、広告表示アプリと称する）に向けて、広告を含む所定の画面データを送信することにより、広告表示アプリ中の画面で広告を表示させてもよい。
【０３０１】
より具体的には、管理サーバ４の表示広告決定部４１６は、写真シール作成装置１から受信したユーザの識別情報に対応するユーザの特性を特定する。続いて、表示広告決定部４１６は、広告関連情報４２５Ａを参照し、上記ユーザの特性に応じた広告データを特定する。そして、制御部４０１は、写真シール作成ゲームの事後接客の工程中に、または写真シール作成ゲームが終了すると、上記広告データを含んだ広告表示アプリ向けの画面データを作成し、携帯端末６へと送信する。携帯端末６は管理サーバ４から上記画面データを受信すると、起動中の広告表示アプリ（または新たに起動した広告表示アプリ）において、上記画面データを表示する。
【０３０２】
なお、ここで言う「画面データ」とは必ずしも携帯端末６または広告表示アプリの表示域全体分のデータでなくてもよい。例えば、画面データとは、携帯端末６の広告表示アプリにおいて、ポップアップ表示されるバナー広告などであってもよい。また、上記認証アプリと広告表示アプリは同じアプリケーションでも良いし、それぞれ異なるアプリケーションであってもよい。
【０３０３】
〔実施形態２〕
本発明に係る管理サーバは、ユーザが写真シール作成装置において利用した機能を示す情報を取得し、当該情報に応じた広告をユーザに提示してもよい。以下、本発明の第２実施形態について説明する。なお、以下の説明では便宜上、前記実施形態にて説明した部材と同じ機能を有する部材には同じ符号を付記し、その説明を省略する。以降の実施形態でも同様である。
【０３０４】
（管理サーバ５の要部構成）
まず始めに、本実施形態に係る管理サーバ５（サーバ）の要部構成について説明する。図２２は、本実施形態に係る管理サーバ５の要部構成を示すブロック図である。図示の通り、管理サーバ５は、通信制御部７１１と、メール作成部７１２（メール作成手段）と、利用機能特定部７１５（利用機能特定手段）とを含む点において、実施形態１に係る管理サーバ４と異なる。
【０３０５】
なお、本実施形態における管理サーバ５および写真シール作成装置１においては、会員認証処理（図１４のステップＳ２００）、ならびに広告データの決定および表示処理（図２１の全ての処理）は必須ではない。そのため、管理サーバ５は、実施形態１に係る管理サーバ４が備えている認証部４１５、表示広告決定部４１６、および広告データベース４２５を、必ずしも備えていなくてもよい。また、本実施形態に係る写真シール作成装置１は、ＲＡＭ２０７、広告データ取得部３１５Ａ、広告画面作成部３１５Ｂ、および事後接客用モニタ制御部３１５Ｃを、必ずしも備えていなくてもよい。また、本実施形態に係る携帯端末６は、非接触型ＩＣ６１４を必ずしも備えていなくてもよい。
【０３０６】
≪通信制御部≫
通信制御部７１１は、通信部４０３による通信を制御する。通信制御部７１１は、写真シール作成装置１からユーザのメールアドレス、撮影画像（写真シール作成装置１において、ユーザに選択された画像）、および撮影画像の画像ＩＤを受信する。通信制御部７１１は、受信した撮影画像を記憶部４０２の図示しない一時保存データベースに保存するとともに、当該撮影画像および画像ＩＤを、利用機能特定部７１５に送信する。通信制御部７１１はまた、メールアドレスおよび画像ＩＤをメール作成部７１２に出力する。
【０３０７】
≪利用機能特定部≫
利用機能特定部７１５は、写真シール作成装置１から受信した撮影画像を解析することにより、当該画像の撮影にてユーザが利用した機能を特定するものである。利用機能特定部７１５は、通信部４０３および通信制御部４１１を介し、写真シール作成装置１から撮影画像（編集済みの画像を含む）および撮影画像の画像ＩＤを受信する。
【０３０８】
そして、利用機能特定部７１５は、当該画像を解析することにより、当該画像の撮影に係るゲーム（写真シール作成ゲーム）にてユーザが利用した機能を特定する。以降、利用機能特定部７１５が特定した、撮影画像の撮影に係るゲームにてユーザが利用した機能を、「利用機能」と称する。利用機能特定部７１５は、特定した利用機能を示す情報（利用機能情報）を、撮影画像の画像ＩＤと関連づけて、メール作成部７１２へと送信する。
【０３０９】
より具体的には、利用機能特定部７１５は、画像解析により撮影画像に施されている画像編集処理（加工処理）を特定することにより、利用機能を特定する。ここで、「画像編集処理」とは、例えば写真シール作成ゲームの写真撮影の工程（図１４のステップＳ２）においてユーザが選択した撮影コースで行われる画像編集処理である。ここで、「選択した撮影コースで行われる画像編集処理」とは、写真シール作成装置１が、写真シール作成ゲームで撮影した画像を、選択された撮影コースの設定に応じて画像編集処理することを示す。具体的には、写真シール作成装置１は、選択された撮影コースに応じて、撮影画像に含まれる被写体（ユーザ）の目の大きさ、顔の大きさ、肌の白さ等を修正する。したがって、利用機能特定部７１５は、上記修正の種類を特定する。
【０３１０】
また、上記画像編集処理とは、例えば、写真シール作成ゲームの編集工程（図１４のステップＳ３）においてユーザが指示（選択）した画像編集処理（落書き）である。
【０３１１】
このように、画像編集処理は、ユーザが写真シール作成装置１の各種機能を利用した結果、撮影画像に施されるものである。したがって、利用機能特定部７１５は、撮影画像に施された画像編集処理を特定することにより、利用機能（撮影コース、落書きなど）を特定することができる。
【０３１２】
なお、利用機能特定部７１５は、１枚の撮影画像から複数の画像編集処理を特定することにより、複数の利用機能を特定してもよい。また、利用機能特定部７１５は、画像編集処理を特定できなかった場合、写真シール作成装置１から受信した撮影画像に画像編集処理が施されていなかったこと（利用機能なし）を、メール作成部７１２に通知すればよい。
【０３１３】
なお、利用機能特定部７１５は、撮影画像に施された画像編集処理を特定できれば、どのような解析方法を用いてもよい。一例としては、例えば、利用機能特定部７１５は、写真シール作成装置１から編集済みの撮影画像と、未編集（未加工）の撮影画像とを受信し、これらの画像を比較照合することにより、編集済みの撮影画像に含まれている落書きを特定すればよい。
【０３１４】
また、利用機能特定部７１５は、写真シール作成装置１からユーザの操作内容のログ情報を受信し、受信したログ情報から画像編集に係る操作を特定し、その操作内容から画像編集処理を特定してもよい。
【０３１５】
≪メール作成部≫
メール作成部７１２は、実施形態１に係るメール作成部４１２が備える機能に加えて、利用機能特定部７１５から受信した利用機能情報を用いて、広告メールを作成する機能を備える。メール作成部７１２は、通信制御部７１１からメールアドレスと、当該メールアドレスに対応する画像ＩＤとを受信する。また、メール作成部７１２は、利用機能特定部７１５から利用機能情報と、利用機能情報に対応する画像ＩＤとを受信する。
【０３１６】
メール作成部７１２は、利用機能情報を受信すると、メールデータベース４２１からメール作成に必要な各種データを読み出し、利用機能情報に応じた広告メールを作成する。メール作成部７１２は、作成した広告メールを、利用機能情報に対応する画像ＩＤと一致する画像ＩＤに対応するメールアドレス宛に送信する。
【０３１７】
ここで、「利用機能情報に応じた広告メール」の具体例を説明する。例えば、メール作成部７１２が利用機能特定部７１５から、「カラーコンタクトレンズ（カラコン）のスタンプ（落書き）」、または「人物の目を大きくする画像処理」のいずれかを示す利用機能情報を受信したとする。この場合、メール作成部７１２は、お勧めのカラコンの画像（広告）や、カラコンを販売するサイトへのリンク（ＵＲＬ）などを含むメールを作成する。
【０３１８】
また例えば、メール作成部７１２が利用機能特定部７１５から、「つけまつげのスタンプ（落書き）」を示す利用機能情報を受信した場合、メール作成部７１２は、つけまつげの広告や、つけまつげの施術を取り扱う美容サロンの情報などを含むメールを作成する。
【０３１９】
また例えば、メール作成部７１２が利用機能特定部７１５から、アイシャドウやチークを付ける落書きを示す利用機能情報を受信した場合、メール作成部７１２は、化粧品サイトへのリンクや、化粧品購入の際に利用可能なクーポンを含む広告メールを作成してもよい。
【０３２０】
このように、メール作成部７１２は、各商品やサービス等の需要が見込めるユーザに向けて広告メールを送信することができる。つまり、メール作成部７１２は、ユーザにより適した情報を発信することができる。
【０３２１】
なお、メール作成部７１２は、広告メールを作成するときに、通信部４０３および通信制御部７１１を介して、インターネット上から広告となる情報を収集し、収集した情報を用いて広告メールを作成してもよい。例えば、メール作成部７１２は、インターネット上のエステ情報または化粧品情報の提供サイトから、特定の化粧品に関する情報を集め、集めた化粧品の情報を含むメールを広告メールとして作成してもよい。
【０３２２】
また、メール作成部７１２は、広告メールの代わりに、利用機能情報に応じたアンケートメールを作成し送信してもよい。この場合、管理サーバ５は、利用機能に応じた情報（アンケート）をユーザに提示できるだけでなく、さらにユーザから、提示したアンケートに対するレスポンスを得られるという利点がある。また、メール作成部７１２は、広告メールの代わりに、利用機能情報に応じた商品、サービス、クーポン、イベントへの参加権等を景品とするプレゼント応募や抽選を案内するメールを作成し、送信してもよい。
【０３２３】
本実施形態に係る管理サーバ５は、上記処理を行うことにより、写真シール作成装置においてユーザが利用した機能に応じた広告をユーザに配信することができる。したがって、管理サーバ５は、ユーザに対し、より適切な情報を発信することができる。
【０３２４】
また、管理サーバ５の利用機能特定部７１５は、受信した撮影画像だけでなく、画像データベース４２４（または一時保存データべース）に保存している画像から利用機能をそれぞれ特定し、特定した利用機能を種々のサービスの提供時に利用してもよい。この場合、管理サーバ５の制御部４０１は、上記画像データベース４２４に保存している画像の中から特定の情報と関連する利用機能を含む画像を特定してもよい。そして、制御部４０１は、特定した画像または当該画像を表示するリンク等を含む広告メールまたは画像提供サイトのウェブページを作成し、ユーザに提示してもよい。
【０３２５】
例えば、制御部４０１は、インターネット上の所定のＳＮＳ(ソーシャル・ネットワーク・サービス)で注目されているキーワードと最も相関の大きい利用機能を含む画像を特定し、当該画像を広告メールで送信したり、画像提供サイト上で提示したりしてもよい。
【０３２６】
さらに、上記広告メールおよびウェブページは、特定した画像に対応する携帯送信画像（待ち受け画面用の画像や、ブログまたはＳＮＳ掲載用の画像など）を表示するためのリンクを含んでいてもよい。例えば、管理サーバ５はＳＮＳで注目されているキーワードと最も相関の大きい利用機能を含む画像を特定した場合で、特定した画像に対応するＳＮＳ用の画像（例えばＳＮＳのトップページに用いるアイコン）が管理サーバ５に保存されている場合は、そのＳＮＳ用の画像を表示するためのリンクを含む上記広告メールまたはウェブページを作成および送信し、携帯端末６に表示させてもよい。
【０３２７】
（実施形態２の変形例）
≪１：利用機能情報に応じた広告を、写真シール作成装置にて表示する≫
なお、本実施形態に係る管理サーバ５は、表示広告決定部４１６にて利用機能情報に応じた広告データを写真シール作成装置１に送信することにより、写真シール作成装置１のタブレット内蔵モニタ１６１などに、利用機能情報に応じた広告を表示させてもよい。
【０３２８】
本変形例の場合、管理サーバ５は、表示広告決定部４１６、および広告データベース４２５を備える。また、写真シール作成装置１は、広告データ取得部３１５Ａ、広告画面作成部３１５Ｂ、および事後接客用モニタ制御部３１５Ｃを備える。
【０３２９】
本変形例の場合、利用機能特定部７１５は利用機能情報を表示広告決定部４１６へと送信する。表示広告決定部４１６は、広告関連情報４２５Ａを参照することにより、利用機能情報に応じた広告データ（利用機能情報と条件が合致する広告データ）を決定し、当該広告データを写真シール作成装置１へと送信する。写真シール作成装置１の事後接客制御部３１５は上記広告データを受信し、当該広告データに基づき広告画面のデータを作成し、それをタブレット内蔵モニタ１６１に表示させる。
【０３３０】
つまり、管理サーバ５は、利用機能に応じた広告メールを特定し当該広告データを携帯端末６にする代わりに（または広告メールを特定するとともに）、利用機能に応じた広告データを特定し、当該広告データを写真シール作成装置１に送信する。したがって、上述した「利用機能情報に応じた広告メール」の具体例は、「広告メール」を「広告データ」とすることにより、本変形例でも実現可能である。
【０３３１】
上記処理により、写真シール作成装置１は、ユーザが写真シール作成装置において利用した機能を示す情報を管理サーバ５に解析させ、さらに当該情報に応じた広告を管理サーバ５から受信し、これをユーザに提示することができる。したがって、写真シール作成装置１は、ユーザに対しより適切な情報を発信することができる。
【０３３２】
なお、本実施形態に係る管理サーバ５は、メール作成部７１２にて作成した広告メールの送信と、本変形例にて説明した、写真シール作成装置１（タブレット内蔵モニタ１６１）における広告表示との両方を行ってもよい。その際、広告メールの内容と、タブレット内蔵モニタ１６１に表示する広告の内容とを関連させることがより望ましい。
【０３３３】
例えば、広告メールとして、撮影画像のコンテストの告知のメールを送信した場合、写真シール作成装置１のタブレット内蔵モニタ１６１において、例えば上記コンテストへの応募用の画像の作成方法を案内する広告を表示することが望ましい。
≪２：写真シール作成装置にて利用機能を特定する≫
また、本実施形態に係る写真シール作成装置１は、ユーザが写真シール作成装置において利用した機能を示す情報を管理サーバ５の代わりに取得してもよい。
【０３３４】
本変形例では、写真シール作成装置１の撮影制御部３１２（装置利用機能特定手段）は、写真シール作成ゲームの写真撮影工程（図１４のステップＳ２）において撮影部２１のタッチパネルモニタ９３が検出する入力信号を受信し、当該入力信号から、ユーザの指示操作を特定する。なお、ここで言う「ユーザ」は、１名のユーザであっても、グループ内の複数のユーザであってもよい。以降も同様である。
【０３３５】
また、本変形例では、編集制御部３１３（装置利用機能特定手段）は、写真シール作成ゲームの編集工程（図１４のステップＳ３）において編集部１２のタブレット内蔵モニタ１３１が検出する入力信号を受信し、当該入力信号から、ユーザの指示操作を特定する。ここで、「ユーザの指示操作」とは、具体的には、撮影モードの選択、背景の選択、スタンプ、画像加工など、写真シール作成ゲームの写真撮影工程および編集工程においてユーザが利用した機能、すなわち利用機能を示す。
【０３３６】
なお、本実施形態に係る写真シール作成装置１は、撮影制御部３１２および編集制御部３１３の少なくともいずれかにおいて、上述のようにユーザの指示操作を特定することにより、利用機能を特定すればよい。撮影制御部３１２および編集制御部３１３の少なくともいずれかにて特定された利用機能を示す情報（利用機能情報）は、事後接客制御部３１５（装置利用機能送信手段）が撮影画像を管理サーバ５に送信するときに、当該撮影画像とともに管理サーバ５へと送信される。
【０３３７】
そして、管理サーバ５のメール作成部７１２は、通信部４０３および通信制御部７１１を介して上記利用機能情報を受信すると、当該利用機能情報に応じた広告メールを作成し、送信する。なお、本変形例に係る写真シール作成装置１は、管理サーバ５に広告メールを作成および送信させる代わりに、管理サーバ５から上記利用機能情報に応じた広告データを取得し、これをタブレット内蔵モニタ１６１にて表示してもよい。
≪３：会員認証と利用機能情報の取得との組み合わせ≫
また、本実施形態に係る写真シール作成装置１は、自装置にて利用機能を特定する場合、実施形態１にて説明した会員認証（図１４のステップＳ２００）を携帯端末６および管理サーバ５と行い、会員認証が成功したユーザの識別情報と、利用機能情報とを紐付けて記憶してもよい。つまり、写真シール作成装置１は、利用機能情報が、どの会員ユーザにより利用された機能を示すかを、識別情報を用いて把握してもよい。
【０３３８】
この場合、管理サーバ５は、実施形態１に係る管理サーバ４と同様、認証部４１５を含む。そして、写真シール作成装置１の撮影制御部３１２または編集制御部３１３は、上記会員認証に成功したユーザの指示操作から利用機能を特定し、利用機能情報を記憶部２０２に格納した当該ユーザの識別情報に対応付けて保存する。
【０３３９】
そして、広告データ取得部３１５Ａは、格納した識別情報（識別情報が示すユーザの特性）および利用機能情報に応じた広告を管理サーバ５に要求する。もしくは、事後接客制御部３１５は、撮影画像とともに、識別情報と、識別情報に対応付けられた利用機能とを送信することにより、管理サーバ５に、識別情報（識別情報が示すユーザの特性）および利用機能情報に応じた広告メールを作成させてもよい。
【０３４０】
さらに、本実施形態に係る写真シール作成装置１は、認証位置（写真シール作成装置１において、ユーザが会員認証に係る操作を行った位置）を取得し、当該認証位置を示す情報（認証位置情報）と、識別情報と、利用機能情報とを紐付けて記憶していてもよい。つまり、写真シール作成装置１は、１グループ中の会員ユーザがそれぞれ、どこに居るか（どのような立ち位置の関係でゲームを行っているか）を認証位置情報から把握しておくことにより、編集工程（図１４のＳ３）などにおいてユーザにより入力される操作指示が、それぞれどのユーザの操作指示（すなわち、利用機能）であるのかを把握してもよい。以下、図２３を用いて本変形例について詳述する。
【０３４１】
図２３は、写真シール作成装置１の編集部１２（編集部１２Ａまたは編集部１２Ｂ）において、編集工程（図１４のステップＳ３）で表示される画面およびユーザの操作の一例を示している。なお、図２３においても図２０と同様に、ユーザＡがタブレット内蔵モニタ１３１の左下側の非接触型ＩＣリーダ／ライタ９５Ａで会員認証を行い、ユーザＢがタブレット内蔵モニタ１３１の右下側の非接触型ＩＣリーダ／ライタ９５Ｂで会員認証を行ったとする。
【０３４２】
編集制御部３１３は、タブレット内蔵モニタ１３１に、ユーザが編集（画像加工）処理を行うための画面を表示させる。図示の通り、画面左上部には、ユーザＡの撮影画像１３１０Ａが表示され、画面右上部には、ユーザＢの撮影画像１３１０Ｂが表示される。また、画面左下部には撮影画像１３１０Ａを編集するための編集内容（落書き）の選択肢群１３１０Ｃが表示され、画面右下部には撮影画像１３１０Ｂを編集するための落書きの選択肢群１３１０Ｄが表示される。
【０３４３】
このように、編集制御部３１３は、グループ内で会員認証が成功したユーザの人数および当該ユーザの認証位置情報により、編集画面の表示レイアウト（画面の分割数、撮影画像、選択肢群の表示位置関係およびその数）を決定しタブレット内蔵モニタ１３１に表示させる。なお、編集制御部３１３は図示の通り、各ユーザの識別情報（または当該識別情報に対応する会員情報を取得している場合は会員情報）、例えばニックネームや会員ＩＤなどを、タブレット内蔵モニタ１３１に表示してもよい。
【０３４４】
そして、写真シール作成装置１は、タブレット内蔵モニタ１３１の表示画面を線分１３２０で２分割し、線分１３２０の左側領域への入力を、ユーザＡによる指示操作であるとして、当該指示操作からユーザＡの利用機能を特定する。一方、写真シール作成装置１は、線分１３２０の右側領域への入力を、ユーザＢによる指示操作であるとして、当該指示操作からユーザＢの利用機能を特定する。
【０３４５】
より具体的に説明すると、画面左下部に位置する選択肢群１３１０Ｃにおける入力（例えば、図示の通りカラコン：ブラウンを選択したという情報）は、ユーザＡの利用機能であるとして、ユーザＡの識別情報と紐付けられる。また、画面右下部に位置する選択肢群１３１０Ｄにおける入力（カラコン：なしを選択したという情報）は、ユーザＢの利用機能であるとして、ユーザＢの識別情報と紐付けられる。
【０３４６】
以上の処理により、写真シール作成装置１は、自機に行われた指示操作が、どのユーザが行った指示操作であるか判別することができる。また、写真シール作成装置１は、識別情報と、認証位置情報と、利用機能情報とを対応付けて記憶することにより、ゲームを行うユーザが複数人のグループである場合も、自機に行われた指示操作（すなわち、ユーザが選択した機能）がグループ内のどの会員ユーザにより行われた指示操作であるかを把握することができる。
【０３４７】
そして、写真シール作成装置１は、事後接客の工程において、グループ内の各ユーザの利用機能に応じた広告を管理サーバ５から取得し、タブレット内蔵モニタ１６１に表示することができる。もしくは、写真シール作成装置１は、各ユーザの利用機能に応じた広告メールを、管理サーバ５に作成および送信させることができる。
【０３４８】
≪４：撮影画像から利用機能以外の情報を特定する≫
なお、利用機能特定部７１５は、撮影画像を解析することで、利用機能情報以外の情報を得て、当該情報をメール作成部７１２に送信してもよい。
【０３４９】
例えば、利用機能特定部７１５は、撮影画像を解析することにより、当該画像に写っている人物が化粧をしているか否かを特定し、化粧の有無を示す情報をメール作成部７１２に送信してもよい。さらに、メール作成部７１２は、利用機能特定部７１５から上記人物が化粧をしていない旨を示す情報を受信した場合、当該情報に応じて、化粧品サイトへのリンクや、化粧品購入の際に利用可能なクーポンを含む広告メールを作成してもよい。
【０３５０】
ここで、メール作成部７１２の作成したメールの送信先メールアドレスは、写真シール作成装置１から受信したメールアドレスである。すなわち、上記メールアドレスは、上記撮影画像に含まれる人物（化粧をしていない人物）のメールアドレスである可能性が高い。そのため、メール作成部７１２は、化粧品の需要が見込めるユーザのメールアドレス（と推定されるアドレス）に向けて、化粧品サイトへのリンクを含む広告メールを送信することができる。つまり、メール作成部７１２は、ユーザにより適した情報を発信することができる。
【０３５１】
≪５：装置情報を加味して広告メールを作成する≫
なお、本実施形態に係る管理サーバ５は、撮影画像、画像ＩＤ、およびメールアドレスの他に、例えば写真シール作成装置１の機種名、設置場所（都道府県、地域など）、および撮影日時など、写真シール作成装置１にて得られる各種情報（装置情報）を写真シール作成装置１から受信し、装置情報に応じた広告メール（またはアンケートメール）を作成および送信してもよい。
【０３５２】
この場合、写真シール作成装置１は装置情報を管理サーバ５に送信し、管理サーバ５の通信制御部７１１は、写真シール作成装置１から受信した装置情報をメール作成部７１２へと送信する。そして、メール作成部７１２は、装置情報と、利用機能情報とに応じた広告メールなどを作成する。
【０３５３】
例えば、メール作成部７１２が、写真シール作成装置１から装置情報として、撮影日時を受信したとする。この場合、メール作成部７１２は、例えば撮影日時が土曜日、日曜日、または祝日のいずれかである場合に、写真シール作成装置１の利用アンケートを含むメールを作成し送信してもよい。
【０３５４】
また例えば、装置情報として機種名を受信した場合、メール作成部７１２は、装置情報が示す機種名と同機種の写真シール作成装置１が設置されている場所をアナウンスする広告メールを作成し送信してもよい。
【０３５５】
≪６：利用機能情報等を、会員情報にフィードバックする≫
さらに、本実施形態に係る管理サーバ５は、利用機能特定部７１５が得た情報（利用機能情報など）、および装置情報を、会員情報４２２Ａのユーザ特定情報や会員属性として記憶してもよい。なお、この場合も、管理サーバ５は、写真シール作成装置１との間で会員認証を行い、ユーザの識別情報を得ていることが望ましい。
【０３５６】
例えば、会員情報４２２Ａが会員属性として、「カラコンのスタンプの利用回数」を格納していたとする。この場合で、利用機能特定部７１５が撮影画像にカラコンのスタンプが施されていることを特定した場合、利用機能特定部７１５は、会員情報４２２Ａの、「カラコンのスタンプの利用回数」のカウントを１増加させる。
【０３５７】
このように、利用機能情報など、写真シール作成装置１にて得られる各種情報を会員情報４２２Ａに蓄積していくことにより、管理サーバ５は、会員情報４２２Ａを、ユーザの特性（趣味、嗜好など）をより正確に反映させた情報にすることができる。
【０３５８】
さらにこの場合、メール作成部７１２は、会員情報４２２Ａが示すユーザの特性（ユーザ特定情報または会員属性の少なくともいずれか）を加味して広告メールを作成してもよい。例えば、会員情報４２２Ａが示すユーザの住所は東京都であるが、装置情報が示す写真シール作成装置１の設置場所（ユーザがゲームを行った筐体の場所）は他県の特定の施設内であったとする。この場合、上記住所（会員情報）と上記設置場所（装置情報）との両方を加味すると、当該ユーザは、遠出して上記特定の施設に居ると推定される。そこで、メール作成部７１２は、広告メールとして、上記特定の施設限定の落書きなどを案内するメールを送信すればよい。
【０３５９】
〔ソフトウェアによる実現例〕
写真シール作成装置１、管理サーバ４、管理サーバ５、および携帯端末６の制御ブロック（特に制御部２０１、制御部４０１および制御部６０１）は、集積回路（ＩＣチップ）等に形成された論理回路（ハードウェア）によって実現してもよいし、ＣＰＵ（Central Processing Unit）を用いてソフトウェアによって実現してもよい。
【０３６０】
後者の場合、写真シール作成装置１、管理サーバ４、管理サーバ５、および携帯端末６は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することによって、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークまたは放送波等）を介して上記コンピュータに供給されてもよい。なお、本発明は、上記プログラムが電子的な伝送によって具現化された、搬送波に埋め込まれたデータ信号の形態でも実現され得る。
【０３６１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０３６２】
本発明は、写真撮影編集装置において作成されたユーザの撮影画像を管理サーバに保存する撮影画像管理システムとして、幅広く利用することができる。
【符号の説明】
【０３６３】
１  写真シール作成装置（写真撮影編集装置）
４  管理サーバ（サーバ）
５  管理サーバ（サーバ）
６  携帯端末
１１  撮影ユニット
１２  編集部
１３  事後接客部
２１  撮影部
９５Ａ  非接触型ＩＣリーダ／ライタ（通信部）
９５Ｂ  非接触型ＩＣリーダ／ライタ（通信部）
１６１  タブレット内蔵モニタ（表示部）
２０１  制御部
３１１  通信制御部
３１２  撮影制御部（装置利用機能特定手段）
３１３  編集制御部（装置利用機能特定手段）
３１４  印刷制御部
３１５  事後接客制御部（装置利用機能送信手段）
３１５Ａ  広告データ取得部（画像データ送信手段）
３１５Ｂ  広告画面作成部（表示位置決定手段）
３１５Ｃ  事後接客用モニタ制御部（表示制御手段）
３１６  認証制御部（識別情報取得手段、認証要求手段、認証位置取得手段）
４０１  制御部
４０２  記憶部
４０３  通信部
４１１  通信制御部
４１２  メール作成部（メール作成手段）
４１３  ウェブページ作成部
４１４  画像管理部
４１５  認証部（認証手段）
４１６  表示広告決定部（ユーザ特性特定手段、広告決定手段）
６０１  制御部
６０２  記憶部
６０３  通信部
６０４  入力部
６０５  表示部
６１１  通信制御部
６１２  入力制御部
６１３  表示制御部
６１４  非接触型ＩＣ
７１１  通信制御部
７１２  メール作成部（メール作成手段）
７１５  利用機能特定部（利用機能特定手段）
【図１】
2015180017.tif 000003
【図２】
2015180017.tif 000004
【図３】
2015180017.tif 000005
【図４】
2015180017.tif 000006
【図５】
2015180017.tif 000007
【図６】
2015180017.tif 000008
【図７】
2015180017.tif 000009
【図８】
2015180017.tif 000010
【図９】
2015180017.tif 000011
【図１０】
2015180017.tif 000012
【図１１】
2015180017.tif 000013
【図１２】
2015180017.tif 000014
【図１３】
2015180017.tif 000015
【図１４】
2015180017.tif 000016
【図１５】
2015180017.tif 000017
【図１６】
2015180017.tif 000018
【図１７】
2015180017.tif 000019
【図１８】
2015180017.tif 000020
【図１９】
2015180017.tif 000021
【図２０】
2015180017.tif 000022
【図２１】
2015180017.tif 000023
【図２２】
2015180017.tif 000024
【図２３】
2015180017.tif 000025